(57)【要約】認証システム（１０）は、識別情報を記憶した複数の記憶装置（２１、２２、２３）と、記憶装置が車載装置の利用が許可される被許可装置であることを認証する認証手段（３１ａ）を有した認証装置（３０）とを備え、複数の記憶装置は、被許可装置にされる被許可記憶装置と、被許可記憶装置が被許可装置にされるときに使用される被使用記憶装置（２１）とを含み、認証装置は、記憶装置が記憶した識別情報を取得する取得手段（３１ｂ）と、情報を記憶する記憶手段（３１ｃ）と、記憶手段による情報の記憶を制御する記憶制御手段（３１ｄ）とを有し、認証手段は、被許可記憶装置の識別情報を記憶手段が記憶しているときに被使用記憶装置が被許可装置であると認証せず、記憶制御手段は、取得手段が取得した被許可記憶装置の識別情報を記憶手段に記憶させるときに、被使用記憶装置が被許可装置であると認証手段が事前に認証したときのみ記憶させる
2005021904.tif 000002
【特許請求の範囲】
【請求項１】
識別情報を記憶した複数の記憶装置と、前記記憶装置が車載装置の利用が許可される被許可装置であることを認証する認証手段を有した認証装置とを備え、
前記複数の記憶装置は、前記被許可装置にされる被許可記憶装置と、前記被許可記憶装置が前記被許可装置にされるときに使用される被使用記憶装置とを含み、
前記認証装置は、前記記憶装置が記憶した前記識別情報を取得する取得手段と、情報を記憶する記憶手段と、前記記憶手段による前記情報の記憶を制御する記憶制御手段とを有し、
前記認証手段は、前記取得手段が取得した前記記憶装置の前記識別情報及び前記記憶手段が記憶している前記識別情報に基づいて前記記憶装置が前記被許可装置であることを認証し、前記被許可記憶装置の前記識別情報を前記記憶手段が記憶しているときに前記被使用記憶装置が前記被許可装置であると認証せず、
前記記憶制御手段は、前記取得手段が取得した前記被許可記憶装置の前記識別情報を前記記憶手段に記憶させるときに、前記被使用記憶装置が前記被許可装置であると前記認証手段が事前に認証したときのみ記憶させることを特徴とする認証システム。
【請求項２】
識別情報を記憶した複数の記憶装置と、前記記憶装置が車載装置の利用が許可される被許可装置であることを認証する認証手段を有した認証装置とを備え、
前記複数の記憶装置は、前記被許可装置にされる第１被許可記憶装置及び第２被許可記憶装置を含み、
前記認証装置は、前記記憶装置が記憶した前記識別情報を取得する取得手段と、情報を記憶する記憶手段と、前記記憶手段による前記情報の記憶を制御する記憶制御手段とを有し、
前記認証手段は、前記取得手段が取得した前記記憶装置の前記識別情報及び前記記憶手段が記憶している前記識別情報に基づいて前記記憶装置が前記被許可装置であることを認証し、
前記記憶制御手段は、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させることを特徴とする認証システム。
【請求項３】
識別情報を記憶した複数の記憶装置と、前記記憶装置が車載装置の利用が許可される被許可装置であることを認証する認証手段を有した認証装置とを備え、
前記複数の記憶装置は、前記被許可装置にされる第１被許可記憶装置及び第２被許可記憶装置と、前記第１被許可記憶装置が前記被許可装置にされるときに使用される被使用記憶装置とを含み、
前記認証装置は、前記記憶装置が記憶した前記識別情報を取得する取得手段と、情報を記憶する記憶手段と、前記記憶手段による前記情報の記憶を制御する記憶制御手段とを有し、
前記認証手段は、前記取得手段が取得した前記記憶装置の前記識別情報及び前記記憶手段が記憶している前記識別情報に基づいて前記記憶装置が前記被許可装置であることを認証し、前記取得手段が取得した前記第１被許可記憶装置の前記識別情報を前記記憶手段が記憶しているときに前記被使用記憶装置が前記被許可装置であると認証せず、
前記記憶制御手段は、前記取得手段が取得した前記第１被許可記憶装置の前記識別情報を前記記憶手段に記憶させるときに、前記被使用記憶装置が前記被許可装置であると前記認証手段が事前に認証したときのみ記憶させ、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させることを特徴とする認証システム。
【請求項４】
前記第１被許可記憶装置に利用が許可される車載装置には、前記第２被許可記憶装置に利用が許可される車載装置以外の車載装置が含まれたことを特徴とする請求項２又は請求項３に記載の認証システム。
【請求項５】
前記記憶制御手段は、前記第２被許可記憶装置の前記識別情報を前記記憶手段から削除するときに、前記第１被許可記憶装置が前記被許可装置であると前記認証手段が事前に認証したときのみ削除することを特徴とする請求項２又は請求項３に記載の認証システム。
【請求項６】
前記記憶制御手段は、前記第１被許可記憶装置の前記識別情報を前記記憶手段から削除するときに、前記第２被許可記憶装置の前記識別情報が前記記憶手段に記憶されておらず前記第１被許可記憶装置が前記被許可装置であると前記認証手段が事前に認証したときのみ削除することを特徴とする請求項２又は請求項３に記載の認証システム。
【請求項７】
前記記憶制御手段は、前記第１被許可記憶装置の前記識別情報を前記記憶手段から削除するときに、前記第２被許可記憶装置の前記識別情報が前記記憶手段に記憶されておらず前記第１被許可記憶装置が前記被許可装置であると前記認証手段が事前に認証したときのみ削除し、前記記憶制御手段は、前記第１被許可記憶装置の前記識別情報を前記記憶手段から削除するとき、前記被使用記憶装置が被許可装置となることを特徴とする請求項３に記載の認証システム。
【請求項８】
前記記憶制御手段は、前記被許可記憶装置の前記識別情報を前記記憶手段から削除するときに、前記被許可記憶装置が前記被許可装置であると前記認証手段が事前に認証したときのみ削除することを特徴とする請求項１に記載の認証システム。
【請求項９】
前記認証装置は、前記識別情報が前記記憶手段に記憶されるときに前記記憶手段に記憶される前記識別情報を外部に送信する送信手段を有したことを特徴とする請求項１から請求項３までの何れかに記載の認証システム。
【請求項１０】
前記認証装置は、前記識別情報が前記記憶手段から削除されるときに前記記憶手段から削除される前記識別情報を外部に送信する送信手段を有したことを特徴とする請求項５から請求項８までの何れかに記載の認証システム。
【請求項１１】
前記被許可記憶装置は、運転免許証であることを特徴とする請求項１に記載の認証システム。
【請求項１２】
前記第１被許可記憶装置及び前記第２被許可記憶装置の少なくとも一方は、運転免許証であることを特徴とする請求項２又は請求項３に記載の認証システム。
【請求項１３】
識別情報を記憶した複数の記憶装置が車載装置の利用が許可される被許可装置であることを認証する認証ステップと、前記記憶装置が記憶した前記識別情報を取得する取得ステップと、情報を記憶する記憶ステップと、前記記憶ステップによる前記情報の記憶を制御する記憶制御ステップとを有し、
前記複数の記憶装置は、前記被許可装置にされる被許可記憶装置と、前記被許可記憶装置が前記被許可装置にされるときに使用される被使用記憶装置とを含み、
前記認証ステップは、前記取得ステップが取得した前記記憶装置の前記識別情報及び前記記憶ステップが記憶している前記識別情報に基づいて前記記憶装置が前記被許可装置であることを認証し、前記被許可記憶装置の前記識別情報を前記記憶ステップが記憶しているときに前記被使用記憶装置が前記被許可装置であると認証せず、
前記記憶制御ステップは、前記取得ステップが取得した前記被許可記憶装置の前記識別情報を前記記憶ステップに記憶させるときに、前記被使用記憶装置が前記被許可装置であると前記認証ステップが事前に認証したときのみ記憶させることを特徴とする認証方法。
【請求項１４】
識別情報を記憶した複数の記憶装置が車載装置の利用が許可される被許可装置であることを認証する認証ステップと、前記記憶装置が記憶した前記識別情報を取得する取得ステップと、情報を記憶する記憶ステップと、前記記憶ステップによる前記情報の記憶を制御する記憶制御ステップとを有し、
前記複数の記憶装置は、前記被許可装置にされる第１被許可記憶装置及び第２被許可記憶装置を含み、
前記認証ステップは、前記取得ステップが取得した前記記憶装置の前記識別情報及び前記記憶ステップが記憶している前記識別情報に基づいて前記記憶装置が前記被許可装置であることを認証し、
前記記憶制御ステップは、前記取得ステップが取得した前記第２被許可記憶装置の前記識別情報を前記記憶ステップに記憶させるときに、前記第１被許可記憶装置が前記被許可装置であると前記認証ステップが事前に認証したときのみ記憶させることを特徴とする認証方法。
【請求項１５】
識別情報を記憶した複数の記憶装置が車載装置の利用が許可される被許可装置であることを認証する認証ステップと、前記記憶装置が記憶した前記識別情報を取得する取得ステップと、情報を記憶する記憶ステップと、前記記憶ステップによる前記情報の記憶を制御する記憶制御ステップとを有し、
前記複数の記憶装置は、前記被許可装置にされる第１被許可記憶装置及び第２被許可記憶装置と、前記第１被許可記憶装置が前記被許可装置にされるときに使用される被使用記憶装置とを含み、
前記認証ステップは、前記取得ステップが取得した前記記憶装置の前記識別情報及び前記記憶ステップが記憶している前記識別情報に基づいて前記記憶装置が前記被許可装置であることを認証し、前記取得ステップが取得した前記第１被許可記憶装置の前記識別情報を前記記憶ステップが記憶しているときに前記被使用記憶装置が前記被許可装置であると認証せず、
前記記憶制御ステップは、前記取得ステップが取得した前記第１被許可記憶装置の前記識別情報を前記記憶ステップに記憶させるときに、前記被使用記憶装置が前記被許可装置であると前記認証ステップが事前に認証したときのみ記憶させ、前記取得ステップが取得した前記第２被許可記憶装置の前記識別情報を前記記憶ステップに記憶させるときに、前記第１被許可記憶装置が前記被許可装置であると前記認証ステップが事前に認証したときのみ記憶させることを特徴とする認証方法。
【請求項１６】
識別情報を記憶した複数の記憶装置が車載装置の利用が許可される被許可装置であることを認証する認証手段と、前記記憶装置が記憶した前記識別情報を取得する取得手段と、情報を記憶する記憶手段と、前記記憶手段による前記情報の記憶を制御する記憶制御手段とを有し、
前記複数の記憶装置は、前記被許可装置にされる被許可記憶装置と、前記被許可記憶装置が前記被許可装置にされるときに使用される被使用記憶装置とを含み、
前記認証手段は、前記取得手段が取得した前記記憶装置の前記識別情報及び前記記憶手段が記憶している前記識別情報に基づいて前記記憶装置が前記被許可装置であることを認証し、前記被許可記憶装置の前記識別情報を前記記憶手段が記憶しているときに前記被使用記憶装置が前記被許可装置であると認証せず、
前記記憶制御手段は、前記取得手段が取得した前記被許可記憶装置の前記識別情報を前記記憶手段に記憶させるときに、前記被使用記憶装置が前記被許可装置であると前記認証手段が事前に認証したときのみ記憶させることを特徴とする認証装置。
【請求項１７】
識別情報を記憶した複数の記憶装置が車載装置の利用が許可される被許可装置であることを認証する認証手段と、前記記憶装置が記憶した前記識別情報を取得する取得手段と、情報を記憶する記憶手段と、前記記憶手段による前記情報の記憶を制御する記憶制御手段とを有し、
前記複数の記憶装置は、前記被許可装置にされる第１被許可記憶装置及び第２被許可記憶装置を含み、
前記認証手段は、前記取得手段が取得した前記記憶装置の前記識別情報及び前記記憶手段が記憶している前記識別情報に基づいて前記記憶装置が前記被許可装置であることを認証し、
前記記憶制御手段は、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させることを特徴とする認証装置。
【請求項１８】
識別情報を記憶した複数の記憶装置が車載装置の利用が許可される被許可装置であることを認証する認証手段と、前記記憶装置が記憶した前記識別情報を取得する取得手段と、情報を記憶する記憶手段と、前記記憶手段による前記情報の記憶を制御する記憶制御手段とを有し、
前記複数の記憶装置は、前記被許可装置にされる第１被許可記憶装置及び第２被許可記憶装置と、前記第１被許可記憶装置が前記被許可装置にされるときに使用される被使用記憶装置とを含み、
前記認証手段は、前記取得手段が取得した前記記憶装置の前記識別情報及び前記記憶手段が記憶している前記識別情報に基づいて前記記憶装置が前記被許可装置であることを認証し、前記取得手段が取得した前記第１被許可記憶装置の前記識別情報を前記記憶手段が記憶しているときに前記被使用記憶装置が前記被許可装置であると認証せず、
前記記憶制御手段は、前記取得手段が取得した前記第１被許可記憶装置の前記識別情報を前記記憶手段に記憶させるときに、前記被使用記憶装置が前記被許可装置であると前記認証手段が事前に認証したときのみ記憶させ、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させることを特徴とする認証装置。
【発明の詳細な説明】
【技術分野】  本発明は、識別情報を記憶した記憶装置が車載装置の利用が許可される被許可装置であることを認証する認証システムに関する。
【背景技術】  従来、予め登録された個人ＩＤが記憶された個人ＩＤカードを所有する者だけに車両のドアの開閉やエンジンの始動を許可する車両管理システムとして、例えば、特開２００２−２７４２９３号公報に開示されたものが知られている。
しかしながら、上述した従来の車両管理システムにおいては、個人ＩＤの登録や削除を車両の所有者が与り知らない間に行うことが可能であったので、セキュリティが低いという問題が有った。
本発明は、従来の問題を解決するためになされたもので、セキュリティを向上することができる認証システムを提供することを目的とする。
【発明の開示】
第１の発明の認証システムは、識別情報を記憶した複数の記憶装置と、前記記憶装置が車載装置の利用が許可される被許可装置であることを認証する認証手段を有した認証装置とを備え、前記複数の記憶装置は、前記被許可装置にされる被許可記憶装置と、前記被許可記憶装置が前記被許可装置にされるときに使用される被使用記憶装置とを含み、前記認証装置は、前記記憶装置が記憶した前記識別情報を取得する取得手段と、情報を記憶する記憶手段と、前記記憶手段による前記情報の記憶を制御する記憶制御手段とを有し、前記認証手段は、前記取得手段が取得した前記記憶装置の前記識別情報及び前記記憶手段が記憶している前記識別情報に基づいて前記記憶装置が前記被許可装置であることを認証し、前記被許可記憶装置の前記識別情報を前記記憶手段が記憶しているときに前記被使用記憶装置が前記被許可装置であると認証せず、前記記憶制御手段は、前記取得手段が取得した前記被許可記憶装置の前記識別情報を前記記憶手段に記憶させるときに、前記被使用記憶装置が前記被許可装置であると前記認証手段が事前に認証したときのみ記憶させる構成を有している。
この構成により、本発明の認証システムは、被許可記憶装置が被許可装置であるときに被使用記憶装置が被許可装置であることがないので、被許可記憶装置の所有者が与り知らない間に他の新たな被許可記憶装置が被使用記憶装置によって被許可装置にされることがなく、セキュリティを向上することができる。
第２の発明の認証システムは、識別情報を記憶した複数の記憶装置と、前記記憶装置が車載装置の利用が許可される被許可装置であることを認証する認証手段を有した認証装置とを備え、前記複数の記憶装置は、前記被許可装置にされる第１被許可記憶装置及び第２被許可記憶装置を含み、前記認証装置は、前記記憶装置が記憶した前記識別情報を取得する取得手段と、情報を記憶する記憶手段と、前記記憶手段による前記情報の記憶を制御する記憶制御手段とを有し、前記認証手段は、前記取得手段が取得した前記記憶装置の前記識別情報及び前記記憶手段が記憶している前記識別情報に基づいて前記記憶装置が前記被許可装置であることを認証し、前記記憶制御手段は、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させる構成を有している。
この構成により、本発明の認証システムは、第１被許可記憶装置が被許可装置であると事前に認証されなければ、第２被許可記憶装置が被許可装置にされることがないので、第１被許可記憶装置の所有者が与り知らない間に第２被許可記憶装置が被許可装置にされることがなく、セキュリティを向上することができる。
第３の発明の認証システムは、識別情報を記憶した複数の記憶装置と、前記記憶装置が車載装置の利用が許可される被許可装置であることを認証する認証手段を有した認証装置とを備え、前記複数の記憶装置は、前記被許可装置にされる第１被許可記憶装置及び第２被許可記憶装置と、前記第１被許可記憶装置が前記被許可装置にされるときに使用される被使用記憶装置とを含み、前記認証装置は、前記記憶装置が記憶した前記識別情報を取得する取得手段と、情報を記憶する記憶手段と、前記記憶手段による前記情報の記憶を制御する記憶制御手段とを有し、前記認証手段は、前記取得手段が取得した前記記憶装置の前記識別情報及び前記記憶手段が記憶している前記識別情報に基づいて前記記憶装置が前記被許可装置であることを認証し、前記取得手段が取得した前記第１被許可記憶装置の前記識別情報を前記記憶手段が記憶しているときに前記被使用記憶装置が前記被許可装置であると認証せず、前記記憶制御手段は、前記取得手段が取得した前記第１被許可記憶装置の前記識別情報を前記記憶手段に記憶させるときに、前記被使用記憶装置が前記被許可装置であると前記認証手段が事前に認証したときのみ記憶させ、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させる構成を有している。
この構成により、本発明の認証システムは、第１被許可記憶装置が被許可装置であるときに被使用記憶装置が被許可装置であることがないので、第１被許可記憶装置の所有者が与り知らない間に他の新たな第１被許可記憶装置が被使用記憶装置によって被許可装置にされることがない。更に、本発明の認証システムは、第１被許可記憶装置が被許可装置であると事前に認証されなければ、第２被許可記憶装置が被許可装置にされることがないので、第１被許可記憶装置の所有者が与り知らない間に第２被許可記憶装置が被許可装置にされることがない。したがって、本発明の認証システムは、セキュリティを向上することができる。
また、本発明の認証システムにおいて、前記第１被許可記憶装置に利用が許可される車載装置には、前記第２被許可記憶装置に利用が許可される車載装置以外の車載装置が含まれた構成を有しても良い。
この構成により、本発明の認証システムは、第１被許可記憶装置には利用が許可されるが第２被許可記憶装置には利用が許可されない車載装置があるので、車両の利用者によってセキュリティレベルを異ならせることができ、利便性を向上することができる。例えば、本発明の認証システムは、エンジンやドアの錠装置などの車載装置を第１被許可記憶装置と同様に第２被許可記憶装置にも利用を許可し、グローブボックスやトランクなどの収納部分の錠装置を第１被許可記憶装置とは異なり第２被許可記憶装置には利用を許可しないことによって、セキュリティを保持しながらホテルや駐車場などの従業員に第２被許可記憶装置によって車を移動させることができる。
また、本発明の認証システムにおいて、前記記憶制御手段は、前記第２被許可記憶装置の前記識別情報を前記記憶手段から削除するときに、前記第１被許可記憶装置が前記被許可装置であると前記認証手段が事前に認証したときのみ削除する構成を有してもよい。
この構成により、本発明の認証システムは、第１被許可記憶装置が被許可装置であると事前に認証されなければ、第２被許可記憶装置が被許可装置ではない装置にされることがないので、第１被許可記憶装置の所有者が与り知らない間に第２被許可記憶装置が被許可装置ではない装置にされることがなく、セキュリティを向上することができる。
また、本発明の認証システムにおいて、前記記憶制御手段は、前記第１被許可記憶装置の前記識別情報を前記記憶手段から削除するときに、前記第２被許可記憶装置の前記識別情報が前記記憶手段に記憶されておらず前記第１被許可記憶装置が前記被許可装置であると前記認証手段が事前に認証したときのみ削除する構成を有しても良い。
この構成により、本発明の認証システムは、第１被許可記憶装置が被許可装置であると事前に認証されなければ、第１被許可記憶装置が被許可装置ではない装置にされることがないので、第１被許可記憶装置の所有者が与り知らない間に第１被許可記憶装置が被許可装置ではない装置にされることがなく、セキュリティを向上することができる。また、本発明の認証システムは、第１被許可記憶装置が被許可装置ではない装置にされるときに、必ず第２被許可記憶装置が被許可装置ではない装置にされているので、第１被許可記憶装置の所有者が与り知らない間に第２被許可記憶装置が残ることがなく、セキュリティを向上することができる。
また、本発明の認証システムにおいて、前記記憶制御手段は、前記第１被許可記憶装置の前記識別情報を前記記憶手段から削除するときに、前記第２被許可記憶装置の前記識別情報が前記記憶手段に記憶されておらず前記第１被許可記憶装置が前記被許可装置であると前記認証手段が事前に認証したときのみ削除し、前記記憶制御手段は、前記第１被許可記憶装置の前記識別情報を前記記憶手段から削除するとき、前記被使用記憶装置が被許可装置となる構成を有しても良い。
この構成により、本発明の認証システムは、第１被許可記憶装置が被許可装置ではない装置にされても、被使用記憶装置が被許可装置になるため、被許可装置が必ず存在することになり、第１被許可記憶装置および第２被許可装置を後に再び被許可装置にすることが可能である。
また、本発明の認証システムにおいて、前記記憶制御手段は、前記被許可記憶装置の前記識別情報を前記記憶手段から削除するときに、前記被許可記憶装置が前記被許可装置であると前記認証手段が事前に認証したときのみ削除する構成を有しても良い。
この構成により、本発明の認証システムは、被許可記憶装置が被許可装置であると事前に認証されなければ、被許可記憶装置が被許可装置ではない装置にされることがないので、被許可記憶装置の所有者が与り知らない間に被許可記憶装置が被許可装置ではない装置にされることがなく、セキュリティを向上することができる。
また、本発明の認証システムにおいて、前記認証装置は、前記識別情報が前記記憶手段に記憶されるときに前記記憶手段に記憶される前記識別情報を外部に送信する送信手段を有した構成を有しても良い。
この構成により、本発明の認証システムは、被許可装置になった記憶装置を車両の外部で容易に認識することができ、利便性が向上する。例えば、本発明の認証システムは、識別情報が記憶手段に記憶されるときに記憶手段に記憶される識別情報を陸運事務所に送信するようにすれば、車両の登録に関する陸運事務所の業務の効率を向上することができる。ここでいう陸運事務所とは、車両の登録に関する情報を管理する機関を意味する。
また、本発明の認証システムにおいて、前記認証装置は、前記識別情報が前記記憶手段から削除されるときに前記記憶手段から削除される前記識別情報を外部に送信する送信手段を有した構成を有しても良い。
この構成により、本発明の認証システムは、被許可装置ではない装置になった記憶装置を車両の外部で容易に認識することができ、利便性が向上する。例えば、本発明の認証システムは、識別情報が記憶手段から削除されるときに記憶手段から削除される識別情報を陸運事務所に送信するようにすれば、陸運事務所の業務の効率を向上することができる。
また、本発明の認証システムにおいて、前記被許可記憶装置は、運転免許証である構成を有しても良い。
この構成により、本発明の認証システムは、被許可記憶装置を運転免許証とは別に車両の利用者に管理させる必要がないので、被許可記憶装置が運転免許証とは別である場合と比較して、利便性を向上することができる。
また、本発明の認証システムにおいて、前記第１被許可記憶装置及び前記第２被許可記憶装置の少なくとも一方は、運転免許証である構成を有しても良い。
この構成により、本発明の認証システムは、第１被許可記憶装置及び第２被許可記憶装置の少なくとも一方を運転免許証とは別に車両の利用者に管理させる必要がないので、第１被許可記憶装置及び第２被許可記憶装置の双方が運転免許証とは別である場合と比較して、利便性を向上することができる。
第４の発明の認証方法は、識別情報を記憶した複数の記憶装置が車載装置の利用が許可される被許可装置であることを認証する認証ステップと、前記記憶装置が記憶した前記識別情報を取得する取得ステップと、情報を記憶する記憶ステップと、前記記憶ステップによる前記情報の記憶を制御する記憶制御ステップとを有し、前記複数の記憶装置は、前記被許可装置にされる被許可記憶装置と、前記被許可記憶装置が前記被許可装置にされるときに使用される被使用記憶装置とを含み、前記認証ステップは、前記取得ステップが取得した前記記憶装置の前記識別情報及び前記記憶ステップが記憶している前記識別情報に基づいて前記記憶装置が前記被許可装置であることを認証し、前記被許可記憶装置の前記識別情報を前記記憶ステップが記憶しているときに前記被使用記憶装置が前記被許可装置であると認証せず、前記記憶制御ステップは、前記取得ステップが取得した前記被許可記憶装置の前記識別情報を前記記憶ステップに記憶させるときに、前記被使用記憶装置が前記被許可装置であると前記認証ステップが事前に認証したときのみ記憶させる構成を有しても良い。
この構成により、本発明の認証方法は、被許可記憶装置が被許可装置であるときに被使用記憶装置が被許可装置であることがないので、被許可記憶装置の所有者が与り知らない間に他の新たな被許可記憶装置が被使用記憶装置によって被許可装置にされることがなく、セキュリティを向上することができる。
第５の発明の認証方法は、識別情報を記憶した複数の記憶装置が車載装置の利用が許可される被許可装置であることを認証する認証ステップと、前記記憶装置が記憶した前記識別情報を取得する取得ステップと、情報を記憶する記憶ステップと、前記記憶ステップによる前記情報の記憶を制御する記憶制御ステップとを有し、前記複数の記憶装置は、前記被許可装置にされる第１被許可記憶装置及び第２被許可記憶装置を含み、前記認証ステップは、前記取得ステップが取得した前記記憶装置の前記識別情報及び前記記憶ステップが記憶している前記識別情報に基づいて前記記憶装置が前記被許可装置であることを認証し、前記記憶制御ステップは、前記取得ステップが取得した前記第２被許可記憶装置の前記識別情報を前記記憶ステップに記憶させるときに、前記第１被許可記憶装置が前記被許可装置であると前記認証ステップが事前に認証したときのみ記憶させる構成を有している。
この構成により、本発明の認証方法は、第１被許可記憶装置が被許可装置であると事前に認証されなければ、第２被許可記憶装置が被許可装置にされることがないので、第１被許可記憶装置の所有者が与り知らない間に第２被許可記憶装置が被許可装置にされることがなく、セキュリティを向上することができる。
第６の発明の認証方法は、識別情報を記憶した複数の記憶装置が車載装置の利用が許可される被許可装置であることを認証する認証ステップと、前記記憶装置が記憶した前記識別情報を取得する取得ステップと、情報を記憶する記憶ステップと、前記記憶ステップによる前記情報の記憶を制御する記憶制御ステップとを有し、前記複数の記憶装置は、前記被許可装置にされる第１被許可記憶装置及び第２被許可記憶装置と、前記第１被許可記憶装置が前記被許可装置にされるときに使用される被使用記憶装置とを含み、前記認証ステップは、前記取得ステップが取得した前記記憶装置の前記識別情報及び前記記憶ステップが記憶している前記識別情報に基づいて前記記憶装置が前記被許可装置であることを認証し、前記取得ステップが取得した前記第１被許可記憶装置の前記識別情報を前記記憶ステップが記憶しているときに前記被使用記憶装置が前記被許可装置であると認証せず、前記記憶制御ステップは、前記取得ステップが取得した前記第１被許可記憶装置の前記識別情報を前記記憶ステップに記憶させるときに、前記被使用記憶装置が前記被許可装置であると前記認証ステップが事前に認証したときのみ記憶させ、前記取得ステップが取得した前記第２被許可記憶装置の前記識別情報を前記記憶ステップに記憶させるときに、前記第１被許可記憶装置が前記被許可装置であると前記認証ステップが事前に認証したときのみ記憶させる構成を有している。
この構成により、本発明の認証方法は、第１被許可記憶装置が被許可装置であるときに被使用記憶装置が被許可装置であることがないので、第１被許可記憶装置の所有者が与り知らない間に他の新たな第１被許可記憶装置が被使用記憶装置によって被許可装置にされることがない。更に、本発明の認証方法は、第１被許可記憶装置が被許可装置であると事前に認証されなければ、第２被許可記憶装置が被許可装置にされることがないので、第１被許可記憶装置の所有者が与り知らない間に第２被許可記憶装置が被許可装置にされることがない。したがって、本発明の認証方法は、セキュリティを向上することができる。
第７の発明の認証装置は、識別情報を記憶した複数の記憶装置が車載装置の利用が許可される被許可装置であることを認証する認証手段と、前記記憶装置が記憶した前記識別情報を取得する取得手段と、情報を記憶する記憶手段と、前記記憶手段による前記情報の記憶を制御する記憶制御手段とを有し、前記複数の記憶装置は、前記被許可装置にされる被許可記憶装置と、前記被許可記憶装置が前記被許可装置にされるときに使用される被使用記憶装置とを含み、前記認証手段は、前記取得手段が取得した前記記憶装置の前記識別情報及び前記記憶手段が記憶している前記識別情報に基づいて前記記憶装置が前記被許可装置であることを認証し、前記被許可記憶装置の前記識別情報を前記記憶手段が記憶しているときに前記被使用記憶装置が前記被許可装置であると認証せず、前記記憶制御手段は、前記取得手段が取得した前記被許可記憶装置の前記識別情報を前記記憶手段に記憶させるときに、前記被使用記憶装置が前記被許可装置であると前記認証手段が事前に認証したときのみ記憶させる構成を有している。
この構成により、本発明の認証装置は、被許可記憶装置が被許可装置であるときに被使用記憶装置が被許可装置であることがないので、被許可記憶装置の所有者が与り知らない間に他の新たな被許可記憶装置が被使用記憶装置によって被許可装置にされることがなく、セキュリティを向上することができる。
第８の発明の認証装置は、識別情報を記憶した複数の記憶装置が車載装置の利用が許可される被許可装置であることを認証する認証手段と、前記記憶装置が記憶した前記識別情報を取得する取得手段と、情報を記憶する記憶手段と、前記記憶手段による前記情報の記憶を制御する記憶制御手段とを有し、前記複数の記憶装置は、前記被許可装置にされる第１被許可記憶装置及び第２被許可記憶装置を含み、前記認証手段は、前記取得手段が取得した前記記憶装置の前記識別情報及び前記記憶手段が記憶している前記識別情報に基づいて前記記憶装置が前記被許可装置であることを認証し、前記記憶制御手段は、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させる構成を有している。
この構成により、本発明の認証装置は、第１被許可記憶装置が被許可装置であると事前に認証されなければ、第２被許可記憶装置が被許可装置にされることがないので、第１被許可記憶装置の所有者が与り知らない間に第２被許可記憶装置が被許可装置にされることがなく、セキュリティを向上することができる。
第９の発明の認証装置は、識別情報を記憶した複数の記憶装置が車載装置の利用が許可される被許可装置であることを認証する認証手段と、前記記憶装置が記憶した前記識別情報を取得する取得手段と、情報を記憶する記憶手段と、前記記憶手段による前記情報の記憶を制御する記憶制御手段とを有し、前記複数の記憶装置は、前記被許可装置にされる第１被許可記憶装置及び第２被許可記憶装置と、前記第１被許可記憶装置が前記被許可装置にされるときに使用される被使用記憶装置とを含み、前記認証手段は、前記取得手段が取得した前記記憶装置の前記識別情報及び前記記憶手段が記憶している前記識別情報に基づいて前記記憶装置が前記被許可装置であることを認証し、前記取得手段が取得した前記第１被許可記憶装置の前記識別情報を前記記憶手段が記憶しているときに前記被使用記憶装置が前記被許可装置であると認証せず、前記記憶制御手段は、前記取得手段が取得した前記第１被許可記憶装置の前記識別情報を前記記憶手段に記憶させるときに、前記被使用記憶装置が前記被許可装置であると前記認証手段が事前に認証したときのみ記憶させ、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させる構成を有している。
この構成により、本発明の認証装置は、第１被許可記憶装置が被許可装置であるときに被使用記憶装置が被許可装置であることがないので、第１被許可記憶装置の所有者が与り知らない間に他の新たな第１被許可記憶装置が被使用記憶装置によって被許可装置にされることがない。更に、本発明の認証装置は、第１被許可記憶装置が被許可装置であると事前に認証されなければ、第２被許可記憶装置が被許可装置にされることがないので、第１被許可記憶装置の所有者が与り知らない間に第２被許可記憶装置が被許可装置にされることがない。したがって、本発明の認証装置は、セキュリティを向上することができる。
【図面の簡単な説明】  本発明に係る認証システムの特徴および長所は、以下の図面と共に、後述される記載から明らかになる。
第１図は、本発明の一実施の形態に係る認証システムのブロック図である。
第２図は、ファーストカードが登録されるときの図１に示す認証システムの動作のシーケンス図である。
第３図は、セカンドカードが登録されるときの図１に示す認証システムの動作のシーケンス図である。
第４図は、セカンドカード及びリミットカードの登録が解除されるときの図１に示す認証システムの動作のシーケンス図である。
【発明を実施するための最良の形態】  以下、本発明の一実施の形態について、図面を用いて説明する。
まず、本実施の形態に係る認証システムの構成について説明する。
図１に示すように、本実施の形態に係る認証システム１０は、外部と通信可能なＩＣ（Ｉｎｔｅｇｒａｔｅｄ  Ｃｉｒｃｕｉｔ）カードであり車両のディーラによって所持されたマスターカード２１と、外部と通信可能であり車両の所有者によって所持されたＩＣカード２２と、外部と通信可能であり車両の所有者に許可された人物によって所持されたＩＣカード２３と、マスターカード２１、ＩＣカード２２及びＩＣカード２３などのＩＣカードがエンジン、ドアの錠装置、グローブボックスの錠装置及びトランクの錠装置などの車載装置の利用が許可される被許可装置であることを認証する認証手段としての認証部３１ａを有した制御部３１を有し車両のインストルメントパネルに搭載された認証装置３０とを備えている。
マスターカード２１、ＩＣカード２２及びＩＣカード２３は、それぞれ固有の識別情報（以下「ＩＤ」という。）を記憶しており、記憶装置を構成している。ここで、マスターカード２１が使用されることによって被許可装置にされたＩＣカードは、ファーストカードといい、ファーストカードが使用されることによって被許可装置にされたＩＣカードは、セカンドカード又はリミットカードという。なお、マスターカード２１は、ファーストカードが登録されるときに使用される被使用記憶装置を構成している。また、ＩＣカード２２及びＩＣカード２３は、ファーストカード、セカンドカード及びリミットカードの何れにもなる可能性があり、被許可記憶装置、第１被許可記憶装置又は第２被許可記憶装置を構成している。
また、マスターカード２１、ファーストカード及びセカンドカードは、エンジン、ドアの錠装置、グローブボックスの錠装置及びトランクの錠装置などの車載装置の利用が許可され、リミットカードは、マスターカード２１、ファーストカード及びセカンドカードに利用が許可される車載装置からグローブボックス及びトランクなどの収納部分の錠装置を除いた車載装置の利用が許可されるようになっている。即ち、マスターカード２１、ファーストカード及びセカンドカードに利用が許可される車載装置には、リミットカードに利用が許可される車載装置以外の車載装置が含まれている。
また、認証装置３０は、制御部３１の動作状態を表示する青色ＬＥＤ（Ｌｉｇｈｔ  Ｅｍｉｔｔｉｎｇ  Ｄｉｏｄｅ）３２ａ及び赤色ＬＥＤ３２ｂと、利用者によって押される第１スイッチ３３ａ及び第２スイッチ３３ｂと、車載装置の利用を許可する利用許可部３４とを有している。なお、第１スイッチ３３ａ及び第２スイッチ３３ｂは、運転席に座っている利用者には操作することができるが車外の人物には操作することができない場所に設置されている。
また、認証装置３０の制御部３１は、図示していないホルダにセットされたマスターカード２１、ＩＣカード２２及びＩＣカード２３などのＩＣカードと通信を行ってＩＣカードが記憶したＩＤを取得する取得手段としての通信部３１ｂと、ＩＣカードのＩＤを記憶する記憶手段としての内部記憶部３１ｃと、内部記憶部３１ｃによる情報の記憶を制御してファーストカード、セカンドカード及びリミットカードのＩＤの登録及び削除を内部記憶部３１ｃに対して行う記憶制御手段としての登録削除部３１ｄと、ファーストカードのＩＤが内部記憶部３１ｃに記憶され又は内部記憶部３１ｃから削除されるときに内部記憶部３１ｃに記憶され又は内部記憶部３１ｃから削除されるファーストカードのＩＤを陸運事務所に送信する送信手段としての情報送信部３１ｅとを有している。
ここで、認証部３１ａは、通信部３１ｂが取得したマスターカード２１、ＩＣカード２２及びＩＣカード２３のＩＤと、内部記憶部３１ｃが記憶しているＩＤとに基づいてマスターカード２１、ＩＣカード２２及びＩＣカード２３が被許可装置であることを認証するようになっている。また、認証部３１ａは、通信部３１ｂが取得したＩＣカードのＩＤをファーストカードのＩＤとして内部記憶部３１ｃが記憶しているときにマスターカード２１が被許可装置であると認証しないようになっている。
また、登録削除部３１ｄは、通信部３１ｂが取得したＩＣカードのＩＤをファーストカードのＩＤとして内部記憶部３１ｃに記憶させるときに、マスターカード２１が被許可装置であると認証部３１ａが事前に認証したときのみ記憶させるようになっている。また、登録削除部３１ｄは、通信部３１ｂが取得したＩＣカードのＩＤをセカンドカード又はリミットカードのＩＤとして内部記憶部３１ｃに記憶させるときに、ファーストカードが被許可装置であると認証部３１ａが事前に認証したときのみ記憶させるようになっている。
また、登録削除部３１ｄは、セカンドカード及びリミットカードのＩＤを内部記憶部３１ｃから削除するときに、ファーストカードが被許可装置であると認証部３１ａが事前に認証したときのみ削除するようになっている。また、登録削除部３１ｄは、ファーストカードのＩＤを内部記憶部３１ｃから削除するときに、セカンドカード及びリミットカードのＩＤが内部記憶部３１ｃに記憶されておらずファーストカードが被許可装置であると認証部３１ａが事前に認証したときのみ削除するようになっている。
次に、認証システム１０の動作について説明する。
まず、ディーラが車両を販売するときなど、ファーストカードが登録されるときの認証システム１０の動作について説明する。
なお、ファーストカードが登録される前、認証装置３０の内部記憶部３１ｃは、マスターカード２１のＩＤのみを記憶している。
図２に示すように、認証装置３０は、ＩＣカードが利用者によってホルダにセットされて（ステップＳ４１）、第１スイッチ３３ａが利用者によって連続して３秒間オン状態にされると（ステップＳ４２）、通信部３１ｂによってＩＣカードに対してＩＤを要求し（ステップＳ４３）、ホルダにセットされたＩＣカードによって送信されたＩＤを通信部３１ｂによって取得する（ステップＳ４４）。例えば、認証装置３０は、ディーラのマスターカード２１がステップＳ４１においてホルダにセットされた場合、ステップＳ４４においてマスターカード２１によってマスターカード２１のＩＤが送信される。
次いで、認証装置３０は、通信部３１ｂがＩＤを取得したか否かを認証部３１ａによって判断し（ステップＳ４５）、通信部３１ｂがＩＤを取得しなかったとステップＳ４５において認証部３１ａが判断すると、制御部３１に赤色ＬＥＤ３２ｂを３秒間点灯させることによってエラーを表示して処理を終了する（ステップＳ４６）。
認証装置３０は、通信部３１ｂがＩＤを取得したとステップＳ４５において認証部３１ａが判断すると、通信部３１ｂが取得したＩＤと内部記憶部３１ｃに記憶されたＩＤとに基づいて、ホルダにセットされたＩＣカードがマスターカード２１であるか否かを認証部３１ａによって判断する（ステップＳ４７）。そして、認証装置３０は、ホルダにセットされたＩＣカードがマスターカード２１ではないとステップＳ４７において認証部３１ａが判断すると、制御部３１に赤色ＬＥＤ３２ｂを１秒間点灯させることによってエラーを表示して処理を終了する（ステップＳ４８）。
認証装置３０は、ホルダにセットされたＩＣカードがマスターカード２１であるとステップＳ４７において認証部３１ａが判断すると、ファーストカードのＩＤが内部記憶部３１ｃに記憶されていないか否かを認証部３１ａによって判断する（ステップＳ４９）。そして、認証装置３０は、ファーストカードのＩＤが内部記憶部３１ｃに記憶されているとステップＳ４９において認証部３１ａが判断すると、制御部３１に赤色ＬＥＤ３２ｂを１秒間点灯させることによってエラーを表示して処理を終了する（ステップＳ５０）。
認証装置３０は、ファーストカードのＩＤが内部記憶部３１ｃに記憶されていないとステップＳ４９において認証部３１ａが判断すると、マスターカード２１が被許可装置であると認証部３１ａによって認証し（ステップＳ５１）、制御部３１に青色ＬＥＤ３２ａを１秒間点灯させる（ステップＳ５２）。
そして、認証装置３０は、ステップＳ５２の処理後、マスターカード２１が利用者によってホルダから外され（ステップＳ５３）、１０秒以内に、ＩＣカードが利用者によってホルダにセットされると（ステップＳ５４）、通信部３１ｂによってＩＣカードに対してＩＤを要求し（ステップＳ５５）、ホルダにセットされたＩＣカードによって送信されたＩＤを通信部３１ｂによって取得する（ステップＳ５６）。
なお、認証装置３０は、ステップＳ５３においてマスターカード２１がホルダから外された後、１０秒以内にＩＣカードがホルダにセットされなければ、制御部３１に赤色ＬＥＤ３２ｂを３秒間点灯させることによってエラーを表示して処理を終了する。
認証装置３０は、ホルダにセットされたＩＣカードによってステップＳ５６においてＩＤが送信されると、通信部３１ｂがＩＤを取得したか否かを認証部３１ａによって判断する（ステップＳ５７）。そして、認証装置３０は、通信部３１ｂがＩＤを取得しなかったとステップＳ５７において認証部３１ａが判断すると、制御部３１に赤色ＬＥＤ３２ｂを３秒間点灯させることによってエラーを表示して処理を終了する（ステップＳ５８）。
認証装置３０は、通信部３１ｂがＩＤを取得したとステップＳ５７において認証部３１ａが判断すると、通信部３１ｂが取得したＩＤが所定のフォーマットのＩＤであるか否かを認証部３１ａによって判断する（ステップＳ５９）。そして、認証装置３０は、通信部３１ｂが取得したＩＤが所定のフォーマットのＩＤではないとステップＳ５９において認証部３１ａが判断すると、制御部３１に赤色ＬＥＤ３２ｂを３秒間点灯させることによってエラーを表示して処理を終了する（ステップＳ６０）。
認証装置３０は、通信部３１ｂが取得したＩＤが所定のフォーマットのＩＤであるとステップＳ５９において認証部３１ａが判断すると、第１スイッチ３３ａ及び第２スイッチ３３ｂが操作されるまで待機する。
そして、認証装置３０は、第１スイッチ３３ａ又は第２スイッチ３３ｂが利用者によって操作されると（ステップＳ６１）、第２スイッチ３３ｂがオン状態にされたまま第１スイッチ３３ａがオン状態にされるという操作が行われたか否かを登録削除部３１ｄによって判断する（ステップＳ６２）。
認証装置３０は、第２スイッチ３３ｂがオン状態にされたまま第１スイッチ３３ａがオン状態にされるという操作が行われなかったとステップＳ６２において登録削除部３１ｄが判断すると、制御部３１に赤色ＬＥＤ３２ｂ及び青色ＬＥＤ３２ａを６秒間１秒毎に交互に点灯させることによってエラーを表示して処理を終了する（ステップＳ６３）。また、認証装置３０は、第２スイッチ３３ｂがオン状態にされたまま第１スイッチ３３ａがオン状態にされるという操作が行われたとステップＳ６２において登録削除部３１ｄが判断すると、通信部３１ｂが取得したＩＤをファーストカードのＩＤとして登録削除部３１ｄによって内部記憶部３１ｃに記憶する（ステップＳ６４）。なお、ＩＣカードのＩＤがファーストカードのＩＤとして内部記憶部３１ｃに記憶されると、認証システム１０には、ファーストカードが存在するようになるので、マスターカード２１が使用不可能になる。
したがって、認証装置３０は、例えば、車両の所有者のＩＣカード２２がステップＳ５４においてホルダにセットされると、ＩＣカード２２をファーストカードとして登録することができる。そして、ＩＣカード２２がファーストカードとして登録後は、例えばステップＳ４９でファーストカードのＩＤが内部記憶部３１ｃに記憶されているか否かを判断しているので、ＩＣカードを重複してファーストカードとして登録することはない。
なお、認証装置３０は、ファーストカードのＩＤが内部記憶部３１ｃに記憶されるときに、内部記憶部３１ｃに記憶されるファーストカードのＩＤを情報送信部３１ｅによって陸運事務所に送信する。したがって、認証システム１０は、車両の登録に関する陸運事務所の業務の効率を向上することができる。
また、上述したように、認証装置３０は、ステップＳ４９及びステップＳ５１において、ステップＳ４４で通信部３１ｂが取得したマスターカード２１のＩＤと、ステップＳ４１より前の記憶ステップで内部記憶部３１ｃが記憶しているマスターカード２１のＩＤとに基づいてマスターカード２１が被許可装置であることを認証部３１ａによって認証し、ファーストカードのＩＤを記憶ステップで内部記憶部３１ｃが記憶しているときにマスターカード２１が被許可装置であると認証部３１ａによって認証しない。したがって、ステップＳ４９及びステップＳ５１は、認証システム１０の認証方法の認証ステップを構成している。
また、認証装置３０は、ステップＳ４４及びステップＳ５６において、ホルダにセットされたＩＣカードによって送信されたＩＤを通信部３１ｂによって取得する。したがって、ステップＳ４４及びステップＳ５６は、認証システム１０の認証方法の取得ステップを構成している。
また、認証装置３０は、ステップＳ５６で通信部３１ｂが取得したＩＣカードのＩＤをステップＳ６４において登録削除部３１ｄによって内部記憶部３１ｃに記憶させるときに、マスターカード２１が被許可装置であると認証部３１ａによってステップＳ５１で必ず事前に認証している。したがって、ステップＳ６４は、認証システム１０の認証方法の記憶ステップ及び記憶制御ステップを構成している。
次に、車両の所有者が家族や従業員などに車載装置の使用を許可するときなど、セカンドカードが登録されるときの認証システム１０の動作について説明する。
ここで、セカンドカードが登録される前、認証装置３０の内部記憶部３１ｃは、ファーストカードのＩＤとしてＩＣカード２２のＩＤを記憶しているものとする。
図３に示すように、認証装置３０は、ＩＣカードが利用者によってホルダにセットされて（ステップＳ７１）、第１スイッチ３３ａが利用者によって連続して３秒間オン状態にされると（ステップＳ７２）、通信部３１ｂによってＩＣカードに対してＩＤを要求し（ステップＳ７３）、ホルダにセットされたＩＣカードによって送信されたＩＤを通信部３１ｂによって取得する（ステップＳ７４）。例えば、認証装置３０は、ファーストカードである車両の所有者のＩＣカード２２がステップＳ７１においてホルダにセットされた場合、ステップＳ７４においてＩＣカード２２によってＩＣカード２２のＩＤが送信される。
次いで、認証装置３０は、通信部３１ｂがＩＤを取得したか否かを認証部３１ａによって判断し（ステップＳ７５）、通信部３１ｂがＩＤを取得しなかったとステップＳ７５において認証部３１ａが判断すると、制御部３１に赤色ＬＥＤ３２ｂを３秒間点灯させることによってエラーを表示して処理を終了する（ステップＳ７６）。
認証装置３０は、通信部３１ｂがＩＤを取得したとステップＳ７５において認証部３１ａが判断すると、通信部３１ｂが取得したＩＤと内部記憶部３１ｃに記憶されたＩＤとに基づいて、ホルダにセットされたＩＣカードがファーストカード、即ちＩＣカード２２であるか否かを認証部３１ａによって判断する（ステップＳ７７）。そして、認証装置３０は、ホルダにセットされたＩＣカードがＩＣカード２２ではないとステップＳ７７において認証部３１ａが判断すると、制御部３１に赤色ＬＥＤ３２ｂを１秒間点灯させることによってエラーを表示して処理を終了する（ステップＳ７８）。
認証装置３０は、ホルダにセットされたＩＣカードがＩＣカード２２であるとステップＳ７７において認証部３１ａが判断すると、ＩＣカード２２が被許可装置であると認証部３１ａによって認証し（ステップＳ８１）、制御部３１に青色ＬＥＤ３２ａを１秒間点灯させる（ステップＳ８２）。
そして、認証装置３０は、ステップＳ８２の処理後、ＩＣカード２２が利用者によってホルダから外され（ステップＳ８３）、１０秒以内に、ＩＣカードが利用者によってホルダにセットされると（ステップＳ８４）、通信部３１ｂによってＩＣカードに対してＩＤを要求し（ステップＳ８５）、ホルダにセットされたＩＣカードによって送信されたＩＤを通信部３１ｂによって取得する（ステップＳ８６）。
なお、認証装置３０は、ステップＳ８３においてＩＣカード２２がホルダから外された後、１０秒以内にＩＣカードがホルダにセットされなければ、制御部３１に赤色ＬＥＤ３２ｂを３秒間点灯させることによってエラーを表示して処理を終了する。
認証装置３０は、ホルダにセットされたＩＣカードによってステップＳ８６においてＩＤが送信されると、通信部３１ｂがＩＤを取得したか否かを認証部３１ａによって判断する（ステップＳ８７）。そして、認証装置３０は、通信部３１ｂがＩＤを取得しなかったとステップＳ８７において認証部３１ａが判断すると、制御部３１に赤色ＬＥＤ３２ｂを３秒間点灯させることによってエラーを表示して処理を終了する（ステップＳ８８）。
認証装置３０は、通信部３１ｂがＩＤを取得したとステップＳ８７において認証部３１ａが判断すると、通信部３１ｂが取得したＩＤが所定のフォーマットのＩＤであるか否かを認証部３１ａによって判断する（ステップＳ８９）。そして、認証装置３０は、通信部３１ｂが取得したＩＤが所定のフォーマットのＩＤではないとステップＳ８９において認証部３１ａが判断すると、制御部３１に赤色ＬＥＤ３２ｂを３秒間点灯させることによってエラーを表示して処理を終了する（ステップＳ９０）。
認証装置３０は、通信部３１ｂが取得したＩＤが所定のフォーマットのＩＤであるとステップＳ８９において認証部３１ａが判断すると、第１スイッチ３３ａ及び第２スイッチ３３ｂが操作されるまで待機する。
そして、認証装置３０は、第１スイッチ３３ａ又は第２スイッチ３３ｂが利用者によって操作されると（ステップＳ９１）、第２スイッチ３３ｂがオン状態にされたまま第１スイッチ３３ａがオン状態にされるという操作が行われたか否かを登録削除部３１ｄによって判断する（ステップＳ９２）。
認証装置３０は、第２スイッチ３３ｂがオン状態にされたまま第１スイッチ３３ａがオン状態にされるという操作が行われなかったとステップＳ９２において登録削除部３１ｄが判断すると、制御部３１に赤色ＬＥＤ３２ｂ及び青色ＬＥＤ３２ａを６秒間１秒毎に交互に点灯させることによってエラーを表示して処理を終了する（ステップＳ９３）。また、認証装置３０は、第２スイッチ３３ｂがオン状態にされたまま第１スイッチ３３ａがオン状態にされるという操作が行われたとステップＳ９２において登録削除部３１ｄが判断すると、通信部３１ｂが取得したＩＤをセカンドカードのＩＤとして登録削除部３１ｄによって内部記憶部３１ｃに記憶する（ステップＳ９４）。
したがって、認証装置３０は、例えば、車両の所有者に許可された人物のＩＣカード２３がステップＳ８４においてホルダにセットされると、ＩＣカード２３をセカンドカードとして登録することができる。また、認証装置３０は、図３に示す手順が利用者によって繰り返されることによって、複数枚のＩＣカードをセカンドカードとして登録することもできる。
また、上述したように、認証装置３０は、ステップＳ８１において、ステップＳ７４で通信部３１ｂが取得したファーストカードであるＩＣカードのＩＤと、ステップＳ６４（図２参照。）で内部記憶部３１ｃが記憶しているファーストカードであるＩＣカードのＩＤとに基づいてＩＣカードがファーストカードとして被許可装置であることを認証部３１ａによって認証する。したがって、ステップＳ８１は、認証システム１０の認証方法の認証ステップを構成している。
また、認証装置３０は、ステップＳ７４及びステップＳ８６において、ホルダにセットされたＩＣカードによって送信されたＩＤを通信部３１ｂによって取得する。したがって、ステップＳ７４及びステップＳ８６は、認証システム１０の認証方法の取得ステップを構成している。
また、認証装置３０は、ステップＳ８６で通信部３１ｂが取得したＩＣカードのＩＤをステップＳ９４において登録削除部３１ｄによって内部記憶部３１ｃに記憶させるときに、ＩＣカードがファーストカードとして被許可装置であると認証部３１ａによってステップＳ８１で必ず事前に認証している。したがって、ステップＳ９４は、認証システム１０の認証方法の記憶ステップ及び記憶制御ステップを構成している。
次に、車両の所有者がホテルや駐車場などの従業員に車の移動を依頼するときなど、リミットカードが登録されるときの認証システム１０の動作について説明する。
認証装置３０は、図３に示す手順と同様な手順が利用者によって行われることによって、ＩＣカードをリミットカードとして登録することができる。また、認証装置３０は、図３に示す手順と同様な手順が利用者によって繰り返されることによって、複数枚のＩＣカードをリミットカードとして登録することもできる。
次に、セカンドカード及びリミットカードの登録が解除されるときの認証システム１０の動作について説明する。
ここで、セカンドカード及びリミットカードの登録が解除される前、認証装置３０の内部記憶部３１ｃは、ファーストカードのＩＤとしてＩＣカード２２のＩＤを記憶しているものとする。
図４に示すように、認証装置３０は、ＩＣカードが利用者によってホルダにセットされて（ステップＳ１０１）、第２スイッチ３３ｂが利用者によって連続して３秒間オン状態にされると（ステップＳ１０２）、通信部３１ｂによってＩＣカードに対してＩＤを要求し（ステップＳ１０３）、ホルダにセットされたＩＣカードによって送信されたＩＤを通信部３１ｂによって取得する（ステップＳ１０４）。例えば、認証装置３０は、ファーストカードである車両の所有者のＩＣカード２２がステップＳ１０１においてホルダにセットされた場合、ステップＳ１０４においてＩＣカード２２によってＩＣカード２２のＩＤが送信される。
次いで、認証装置３０は、通信部３１ｂがＩＤを取得したか否かを認証部３１ａによって判断し（ステップＳ１０５）、通信部３１ｂがＩＤを取得しなかったとステップＳ１０５において認証部３１ａが判断すると、制御部３１に赤色ＬＥＤ３２ｂを３秒間点灯させることによってエラーを表示して処理を終了する（ステップＳ１０６）。
認証装置３０は、通信部３１ｂがＩＤを取得したとステップＳ１０５において認証部３１ａが判断すると、通信部３１ｂが取得したＩＤと内部記憶部３１ｃに記憶されたＩＤとに基づいて、ホルダにセットされたＩＣカードがファーストカード、即ちＩＣカード２２であるか否かを認証部３１ａによって判断する（ステップＳ１０７）。そして、認証装置３０は、ホルダにセットされたＩＣカードがＩＣカード２２ではないとステップＳ１０７において認証部３１ａが判断すると、制御部３１に赤色ＬＥＤ３２ｂを１秒間点灯させることによってエラーを表示して処理を終了する（ステップＳ１０８）。
認証装置３０は、ホルダにセットされたＩＣカードがＩＣカード２２であるとステップＳ１０７において認証部３１ａが判断すると、ＩＣカード２２が被許可装置であると認証部３１ａによって認証し（ステップＳ１１１）、制御部３１に青色ＬＥＤ３２ａを１秒間点灯させ（ステップＳ１１２）、第１スイッチ３３ａ及び第２スイッチ３３ｂが操作されるまで待機する。
そして、認証装置３０は、第１スイッチ３３ａ又は第２スイッチ３３ｂが利用者によって操作されると（ステップＳ１２１）、第１スイッチ３３ａがオン状態にされたまま第２スイッチ３３ｂがオン状態にされるという操作が行われたか否かを登録削除部３１ｄによって判断する（ステップＳ１２２）。
認証装置３０は、第１スイッチ３３ａがオン状態にされたまま第２スイッチ３３ｂがオン状態にされるという操作が行われなかったとステップＳ１２２において登録削除部３１ｄが判断すると、制御部３１に赤色ＬＥＤ３２ｂ及び青色ＬＥＤ３２ａを６秒間１秒毎に交互に点灯させることによってエラーを表示して処理を終了する（ステップＳ１２３）。なお、認証装置３０は、ステップＳ１１２後の待機状態のときにＩＣカード２２が利用者などによって強制的にホルダから外されたときも、制御部３１に赤色ＬＥＤ３２ｂ及び青色ＬＥＤ３２ａを６秒間１秒毎に交互に点灯させることによってエラーを表示して処理を終了する。
また、認証装置３０は、第１スイッチ３３ａがオン状態にされたまま第２スイッチ３３ｂがオン状態にされるという操作が行われたとステップＳ１２２において登録削除部３１ｄが判断すると、内部記憶部３１ｃに記憶されているセカンドカード及びリミットカードのＩＤを登録削除部３１ｄによって内部記憶部３１ｃから全て削除する（ステップＳ１２４）。
したがって、認証システム１０には、セカンドカード及びリミットカードが全く存在しなくなる。
次に、車両の所有者が変更されるときなど、ファーストカードの登録が解除されるときの認証システム１０の動作について説明する。
ここで、ファーストカードの登録が解除される前、認証装置３０の内部記憶部３１ｃは、ファーストカードとしてＩＣカード２２のＩＤを記憶しているものとする。また、認証システム１０は、セカンドカード及びリミットカードが全く存在しないときのみファーストカードの登録が解除されるので、セカンドカード及びリミットカードが全く存在しない状態であるとする。
認証装置３０は、セカンドカード及びリミットカードが全く存在しない状態で、図４に示す手順と同様な手順が利用者によって行われると、ファーストカードであるＩＣカード２２の認証を経てＩＣカード２２自身のＩＤを内部記憶部３１ｃから削除する。
ＩＣカード２２のＩＤが内部記憶部３１ｃから削除されると、認証システム１０には、ファーストカードが存在しなくなるので、マスターカード２１が再び使用可能になる。すなわち、認証装置３０は、内部記憶装置３１ｃからファーストカードとして記憶しているＩＣカード２２のＩＤが削除されると、マスターカード２１のＩＤが内部記憶部３１ｃに再び記憶され、マスターカード２１が被許可装置となる。マスターカード２１のＩＤは登録削除部３１により内部記憶装置３１ｃから削除された後も再び内部記憶装置３１ｃが記憶することができるように、マスターカード２１のＩＤは登録削除部３１により内部記憶装置３１ｃから削除された後も内部記憶装置３１ｃ以外の場所（図示されていない）に記憶されているものとする。認証システム１０は、マスターカード２１が使用可能になると、図２に示す手順が利用者によって行われることによって、ＩＣカード２２以外のＩＣカードを新たなファーストカードとして登録することができる。
なお、認証装置３０は、ファーストカードのＩＤが内部記憶部３１ｃから削除されるときに、内部記憶部３１ｃから削除されるファーストカードのＩＤを情報送信部３１ｅによって陸運事務所に送信する。したがって、認証システム１０は、車両の登録に関する陸運事務所の業務の効率を向上することができる。
以上に説明したように、認証システム１０は、ＩＣカードがファーストカードとして被許可装置であるときにマスターカード２１が被許可装置であることがないので、ファーストカードの所有者が与り知らない間に他の新たなファーストカードがマスターカード２１によって被許可装置にされることがない。更に、認証システム１０は、ファーストカードであるＩＣカードが被許可装置であると事前に認証されなければ、他のＩＣカードがセカンドカードやリミットカードとして被許可装置にされることがないので、ファーストカードの所有者が与り知らない間に他のＩＣカードがセカンドカードやリミットカードとして被許可装置にされることがない。したがって、認証システム１０は、セキュリティを向上することができる。
また、認証システム１０は、ファーストカードには利用が許可されるがリミットカードには利用が許可されない車載装置があるので、車両の利用者によってセキュリティレベルを異ならせることができ、利便性を向上することができる。例えば、認証システム１０は、上述したように、エンジンやドアの錠装置などの車載装置をファーストカードと同様にリミットカードにも利用を許可し、グローブボックスやトランクなどの収納部分の錠装置をファーストカードとは異なりリミットカードには利用を許可しないことによって、セキュリティを保持しながらホテルや駐車場などの従業員にリミットカードによって車を移動させることができる。
また、認証システム１０は、ファーストカードであるＩＣカードが被許可装置であると事前に認証されなければ、セカンドカードであるＩＣカードやリミットカードであるＩＣカードが被許可装置ではない装置にされることがないので、ファーストカードの所有者が与り知らない間にセカンドカードであるＩＣカードやリミットカードであるＩＣカードが被許可装置ではない装置にされることがなく、セキュリティを向上することができる。
また、認証システム１０は、ファーストカードであるＩＣカードが被許可装置であると事前に認証されなければ、ファーストカードであるＩＣカードが被許可装置ではない装置にされることがないので、ファーストカードの所有者が与り知らない間にファーストカードであるＩＣカードが被許可装置ではない装置にされることがなく、セキュリティを向上することができる。また、認証システム１０は、ファーストカードであるＩＣカードが被許可装置ではない装置にされるときに、必ずセカンドカードであるＩＣカードやリミットカードであるＩＣカードが被許可装置ではない装置にされているので、ファーストカードの所有者が与り知らない間にセカンドカードやリミットカードが残ることがなく、セキュリティを向上することができる。
また、認証システム１０は、ＩＣカード２２が運転免許証であっても良い。ＩＣカード２２が運転免許証である場合、認証システム１０は、ＩＣカード２２を運転免許証とは別に車両の利用者に管理させる必要がないので、ＩＣカード２２が運転免許証とは別である場合と比較して、利便性を向上することができる。同様に、認証システム１０は、ＩＣカード２３が運転免許証であっても良い。
なお、認証システム１０は、ファーストカードやセカンドカードとして登録できるＩＣカード２２及びＩＣカード２３などのＩＣカードを、リミットカードとしても登録できるようになっているが、リミットカードとしてのみ登録可能なリミットカード専用のＩＣカードを、ファーストカードやセカンドカードとして登録できるＩＣカードとは別に備えていても良い。
以上のように、本発明に係る認証システムは、セキュリティを向上することができるという効果を有し、ＩＣカードを使用したシステムなどとして有用である。
【産業上の利用可能性】  本発明によれば、セキュリティを向上することができる認証システムを提供することができる。
【図１】
2005021904.tif 000003
【図２】
2005021904.tif 000004
【図３】
2005021904.tif 000005
【図４】
2005021904.tif 000006
【手続補正書】
【提出日】平成17年1月13日(2005.1.13)
【手続補正００１】
【補正対象書類名】特許請求の範囲
【補正対象項目名】特許請求の範囲
【補正方法】変更
【補正の内容】
【特許請求の範囲】
【請求項１】
識別情報を記憶した複数の記憶装置と、前記記憶装置が車載装置の利用が許可される被許可装置であることを認証する認証手段を有した認証装置とを備え、
前記複数の記憶装置は、前記被許可装置にされる被許可記憶装置と、前記被許可記憶装置が前記被許可装置にされるときに使用される被使用記憶装置とを含み、
前記認証装置は、前記記憶装置が記憶した前記識別情報を取得する取得手段と、情報を記憶する記憶手段と、前記記憶手段による前記情報の記憶を制御する記憶制御手段とを有し、
前記認証手段は、前記取得手段が取得した前記記憶装置の前記識別情報及び前記記憶手段が記憶している前記識別情報に基づいて前記記憶装置が前記被許可装置であることを認証し、前記被許可記憶装置の前記識別情報を前記記憶手段が記憶しているときに前記被使用記憶装置が前記被許可装置であると認証せず、
前記記憶制御手段は、前記取得手段が取得した前記被許可記憶装置の前記識別情報を前記記憶手段に記憶させるときに、前記被使用記憶装置が前記被許可装置であると前記認証手段が事前に認証したときのみ記憶させることを特徴とする認証システム。
【請求項２】
（補正後）識別情報を記憶した複数の記憶装置と、前記記憶装置が車載装置の利用が許可される被許可装置であることを認証する認証手段を有した認証装置とを備え、
前記複数の記憶装置は、前記被許可装置にされる第１被許可記憶装置及び第２被許可記憶装置と、前記第１被許可記憶装置が前記被許可装置にされるときに使用される被使用記憶装置とを含み、
前記認証装置は、前記記憶装置が記憶した前記識別情報を取得する取得手段と、情報を記憶する記憶手段と、前記記憶手段による前記情報の記憶を制御する記憶制御手段とを有し、
前記認証手段は、前記取得手段が取得した前記記憶装置の前記識別情報及び前記記憶手段が記憶している前記識別情報に基づいて前記記憶装置が前記被許可装置であることを認証し、前記取得手段が取得した前記第１被許可記憶装置の前記識別情報を前記記憶手段が記憶しているときに前記被使用記憶装置が前記被許可装置であると認証せず、
前記記憶制御手段は、前記取得手段が取得した前記第１被許可記憶装置の前記識別情報を前記記憶手段に記憶させるときに、前記被使用記憶装置が前記被許可装置であると前記認証手段が事前に認証したときのみ記憶させ、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させることを特徴とする認証システム。
【請求項３】
（補正後）前記第１被許可記憶装置に利用が許可される車載装置には、前記第２被許可記憶装置に利用が許可される車載装置以外の車載装置が含まれたことを特徴とする請求項２に記載の認証システム。
【請求項４】
（補正後）前記記憶制御手段は、前記第２被許可記憶装置の前記識別情報を前記記憶手段から削除するときに、前記第１被許可記憶装置が前記被許可装置であると前記認証手段が事前に認証したときのみ削除することを特徴とする請求項２に記載の認証システム。
【請求項５】
（補正後）前記記憶制御手段は、前記第１被許可記憶装置の前記識別情報を前記記憶手段から削除するときに、前記第２被許可記憶装置の前記識別情報が前記記憶手段に記憶されておらず前記第１被許可記憶装置が前記被許可装置であると前記認証手段が事前に認証したときのみ削除することを特徴とする請求項２に記載の認証システム。
【請求項６】
（補正後）前記記憶制御手段は、前記第１被許可記憶装置の前記識別情報を前記記憶手段から削除するときに、前記第２被許可記憶装置の前記識別情報が前記記憶手段に記憶されておらず前記第１被許可記憶装置が前記被許可装置であると前記認証手段が事前に認証したときのみ削除し、前記記憶制御手段は、前記第１被許可記憶装置の前記識別情報を前記記憶手段から削除するとき、前記被使用記憶装置が被許可装置となることを特徴とする請求項２に記載の認証システム。
【請求項７】
（補正後）前記記憶制御手段は、前記被許可記憶装置の前記識別情報を前記記憶手段から削除するときに、前記被許可記憶装置が前記被許可装置であると前記認証手段が事前に認証したときのみ削除することを特徴とする請求項１に記載の認証システム。
【請求項８】
（補正後）前記認証装置は、前記識別情報が前記記憶手段に記憶されるときに前記記憶手段に記憶される前記識別情報を外部に送信する送信手段を有したことを特徴とする請求項１又は請求項２に記載の認証システム。
【請求項９】
（補正後）前記認証装置は、前記識別情報が前記記憶手段から削除されるときに前記記憶手段から削除される前記識別情報を外部に送信する送信手段を有したことを特徴とする請求項４から請求項７までの何れかに記載の認証システム。
【請求項１０】
（補正後）前記被許可記憶装置は、運転免許証であることを特徴とする請求項１に記載の認証システム。
【請求項１１】
（補正後）前記第１被許可記憶装置及び前記第２被許可記憶装置の少なくとも一方は、運転免許証であることを特徴とする請求項２に記載の認証システム。
【請求項１２】
（補正後）識別情報を記憶した複数の記憶装置が車載装置の利用が許可される被許可装置であることを認証する認証ステップと、前記記憶装置が記憶した前記識別情報を取得する取得ステップと、情報を記憶する記憶ステップと、前記記憶ステップによる前記情報の記憶を制御する記憶制御ステップとを有し、
前記複数の記憶装置は、前記被許可装置にされる被許可記憶装置と、前記被許可記憶装置が前記被許可装置にされるときに使用される被使用記憶装置とを含み、
前記認証ステップは、前記取得ステップが取得した前記記憶装置の前記識別情報及び前記記憶ステップが記憶している前記識別情報に基づいて前記記憶装置が前記被許可装置であることを認証し、前記被許可記憶装置の前記識別情報を前記記憶ステップが記憶しているときに前記被使用記憶装置が前記被許可装置であると認証せず、
前記記憶制御ステップは、前記取得ステップが取得した前記被許可記憶装置の前記識別情報を前記記憶ステップに記憶させるときに、前記被使用記憶装置が前記被許可装置であると前記認証ステップが事前に認証したときのみ記憶させることを特徴とする認証方法。
【請求項１３】
（補正後）識別情報を記憶した複数の記憶装置が車載装置の利用が許可される被許可装置であることを認証する認証ステップと、前記記憶装置が記憶した前記識別情報を取得する取得ステップと、情報を記憶する記憶ステップと、前記記憶ステップによる前記情報の記憶を制御する記憶制御ステップとを有し
前記複数の記憶装置は、前記被許可装置にされる第１被許可記憶装置及び第２被許可記憶装置と、前記第１被許可記憶装置が前記被許可装置にされるときに使用される被使用記憶装置とを含み、
前記認証ステップは、前記取得ステップが取得した前記記憶装置の前記識別情報及び前記記憶ステップが記憶している前記識別情報に基づいて前記記憶装置が前記被許可装置であることを認証し、前記取得ステップが取得した前記第１被許可記憶装置の前記識別情報を前記記憶ステップが記憶しているときに前記被使用記憶装置が前記被許可装置であると認証せず、
前記記憶制御ステップは、前記取得ステップが取得した前記第１被許可記憶装置の前記識別情報を前記記憶ステップに記憶させるときに、前記被使用記憶装置が前記被許可装置であると前記認証ステップが事前に認証したときのみ記憶させ、前記取得ステップが取得した前記第２被許可記憶装置の前記識別情報を前記記憶ステップに記憶させるときに、前記第１被許可記憶装置が前記被許可装置であると前記認証ステップが事前に認証したときのみ記憶させることを特徴とする認証方法。
【請求項１４】
（補正後）識別情報を記憶した複数の記憶装置が車載装置の利用が許可される被許可装置であることを認証する認証手段と、前記記憶装置が記憶した前記識別情報を取得する取得手段と、情報を記憶する記憶手段と、前記記憶手段による前記情報の記憶を制御する記憶制御手段とを有し、
前記複数の記憶装置は、前記被許可装置にされる被許可記憶装置と、前記被許可記憶装置が前記被許可装置にされるときに使用される被使用記憶装置とを含み、
前記認証手段は、前記取得手段が取得した前記記憶装置の前記識別情報及び前記記憶手段が記憶している前記識別情報に基づいて前記記憶装置が前記被許可装置であることを認証し、前記被許可記憶装置の前記識別情報を前記記憶手段が記憶しているときに前記被使用記憶装置が前記被許可装置であると認証せず、
前記記憶制御手段は、前記取得手段が取得した前記被許可記憶装置の前記識別情報を前記記憶手段に記憶させるときに、前記被使用記憶装置が前記被許可装置であると前記認証手段が事前に認証したときのみ記憶させることを特徴とする認証装置。
【請求項１５】
（補正後）識別情報を記憶した複数の記憶装置が車載装置の利用が許可される被許可装置であることを認証する認証手段と、前記記憶装置が記憶した前記識別情報を取得する取得手段と、情報を記憶する記憶手段と、前記記憶手段による前記情報の記憶を制御する記憶制御手段とを有し、
前記複数の記憶装置は、前記被許可装置にされる第１被許可記憶装置及び第２被許可記憶装置と、前記第１被許可記憶装置が前記被許可装置にされるときに使用される被使用記憶装置とを含み、
前記認証手段は、前記取得手段が取得した前記記憶装置の前記識別情報及び前記記憶手段が記憶している前記識別情報に基づいて前記記憶装置が前記被許可装置であることを認証し、前記取得手段が取得した前記第１被許可記憶装置の前記識別情報を前記記憶手段が記憶しているときに前記被使用記憶装置が前記被許可装置であると認証せず、
前記記憶制御手段は、前記取得手段が取得した前記第１被許可記憶装置の前記識別情報を前記記憶手段に記憶させるときに、前記被使用記憶装置が前記被許可装置であると前記認証手段が事前に認証したときのみ記憶させ、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させることを特徴とする認証装置。
【手続補正書】
【提出日】平成17年6月24日(2005.6.24)
【手続補正１】
【補正対象書類名】特許請求の範囲
【補正対象項目名】全文
【補正方法】変更
【補正の内容】
【特許請求の範囲】
【請求項１】
識別情報を記憶した複数の記憶装置と、前記記憶装置が車載装置の利用が許可される被許可装置であることを認証する認証手段を有した認証装置とを備え、
前記複数の記憶装置は、前記被許可装置にされる被許可記憶装置と、前記被許可記憶装置が前記被許可装置にされるときに使用される被使用記憶装置とを含み、
前記認証装置は、前記記憶装置が記憶した前記識別情報を取得する取得手段と、情報を記憶する記憶手段と、前記記憶手段による前記情報の記憶を制御する記憶制御手段とを有し、
前記認証手段は、前記取得手段が取得した前記記憶装置の前記識別情報及び前記記憶手段が記憶している前記識別情報に基づいて前記記憶装置が前記被許可装置であることを認証し、前記被許可記憶装置の前記識別情報を前記記憶手段が記憶しているときに前記被使用記憶装置が前記被許可装置であると認証せず、
前記記憶制御手段は、前記取得手段が取得した前記被許可記憶装置の前記識別情報を前記記憶手段に記憶させるときに、前記被使用記憶装置が前記被許可装置であると前記認証手段が事前に認証したときのみ記憶させることを特徴とする認証システム。  
【請求項２】
識別情報を記憶した複数の記憶装置と、前記記憶装置が車載装置の利用が許可される被許可装置であることを認証する認証手段を有した認証装置とを備え、
前記複数の記憶装置は、前記被許可装置にされる第１被許可記憶装置及び第２被許可記憶装置と、前記第１被許可記憶装置が前記被許可装置にされるときに使用される被使用記憶装置とを含み、
前記認証装置は、前記記憶装置が記憶した前記識別情報を取得する取得手段と、情報を記憶する記憶手段と、前記記憶手段による前記情報の記憶を制御する記憶制御手段とを有し、
前記認証手段は、前記取得手段が取得した前記記憶装置の前記識別情報及び前記記憶手段が記憶している前記識別情報に基づいて前記記憶装置が前記被許可装置であることを認証し、前記取得手段が取得した前記第１被許可記憶装置の前記識別情報を前記記憶手段が記憶しているときに前記被使用記憶装置が前記被許可装置であると認証せず、
前記記憶制御手段は、前記取得手段が取得した前記第１被許可記憶装置の前記識別情報を前記記憶手段に記憶させるときに、前記被使用記憶装置が前記被許可装置であると前記認証手段が事前に認証したときのみ記憶させ、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させることを特徴とする認証システム。
【請求項３】
前記第１被許可記憶装置に利用が許可される車載装置には、前記第２被許可記憶装置に利用が許可される車載装置以外の車載装置が含まれたことを特徴とする請求項２に記載の認証システム。
【請求項４】
前記記憶制御手段は、前記第２被許可記憶装置の前記識別情報を前記記憶手段から削除するときに、前記第１被許可記憶装置が前記被許可装置であると前記認証手段が事前に認証したときのみ削除することを特徴とする請求項２に記載の認証システム。
【請求項５】
前記記憶制御手段は、前記第１被許可記憶装置の前記識別情報を前記記憶手段から削除するときに、前記第２被許可記憶装置の前記識別情報が前記記憶手段に記憶されておらず前記第１被許可記憶装置が前記被許可装置であると前記認証手段が事前に認証したときのみ削除することを特徴とする請求項２に記載の認証システム。
【請求項６】
前記記憶制御手段は、前記第１被許可記憶装置の前記識別情報を前記記憶手段から削除するときに、前記第２被許可記憶装置の前記識別情報が前記記憶手段に記憶されておらず前記第１被許可記憶装置が前記被許可装置であると前記認証手段が事前に認証したときのみ削除し、前記記憶制御手段は、前記第１被許可記憶装置の前記識別情報を前記記憶手段から削除するとき、前記被使用記憶装置が被許可装置となることを特徴とする請求項２に記載の認証システム。  
【請求項７】
前記記憶制御手段は、前記被許可記憶装置の前記識別情報を前記記憶手段から削除するときに、前記被許可記憶装置が前記被許可装置であると前記認証手段が事前に認証したときのみ削除することを特徴とする請求項１に記載の認証システム。
【請求項８】
前記認証装置は、前記識別情報が前記記憶手段に記憶されるときに前記記憶手段に記憶される前記識別情報を外部に送信する送信手段を有したことを特徴とする請求項１又は請求項２に記載の認証システム。
【請求項９】
前記認証装置は、前記識別情報が前記記憶手段から削除されるときに前記記憶手段から削除される前記識別情報を外部に送信する送信手段を有したことを特徴とする請求項４から請求項７までの何れかに記載の認証システム。
【請求項１０】
前記被許可記憶装置は、運転免許証であることを特徴とする請求項１に記載の認証システム。
【請求項１１】
前記第１被許可記憶装置及び前記第２被許可記憶装置の少なくとも一方は、運転免許証であることを特徴とする請求項２に記載の認証システム。
【請求項１２】
識別情報を記憶した複数の記憶装置が車載装置の利用が許可される被許可装置であることを認証する認証ステップと、前記記憶装置が記憶した前記識別情報を取得する取得ステップと、情報を記憶する記憶ステップと、前記記憶ステップによる前記情報の記憶を制御する記憶制御ステップとを有し、
前記複数の記憶装置は、前記被許可装置にされる被許可記憶装置と、前記被許可記憶装置が前記被許可装置にされるときに使用される被使用記憶装置とを含み、
前記認証ステップは、前記取得ステップが取得した前記記憶装置の前記識別情報及び前記記憶ステップが記憶している前記識別情報に基づいて前記記憶装置が前記被許可装置であることを認証し、前記被許可記憶装置の前記識別情報を前記記憶ステップが記憶しているときに前記被使用記憶装置が前記被許可装置であると認証せず、
前記記憶制御ステップは、前記取得ステップが取得した前記被許可記憶装置の前記識別情報を前記記憶ステップに記憶させるときに、前記被使用記憶装置が前記被許可装置であると前記認証ステップが事前に認証したときのみ記憶させることを特徴とする認証方法。
【請求項１３】
識別情報を記憶した複数の記憶装置が車載装置の利用が許可される被許可装置であることを認証する認証ステップと、前記記憶装置が記憶した前記識別情報を取得する取得ステップと、情報を記憶する記憶ステップと、前記記憶ステップによる前記情報の記憶を制御する記憶制御ステップとを有し、
前記複数の記憶装置は、前記被許可装置にされる第１被許可記憶装置及び第２被許可記憶装置と、前記第１被許可記憶装置が前記被許可装置にされるときに使用される被使用記憶装置とを含み、
前記認証ステップは、前記取得ステップが取得した前記記憶装置の前記識別情報及び前記記憶ステップが記憶している前記識別情報に基づいて前記記憶装置が前記被許可装置であることを認証し、前記取得ステップが取得した前記第１被許可記憶装置の前記識別情報を前記記憶ステップが記憶しているときに前記被使用記憶装置が前記被許可装置であると認証せず、
前記記憶制御ステップは、前記取得ステップが取得した前記第１被許可記憶装置の前記識別情報を前記記憶ステップに記憶させるときに、前記被使用記憶装置が前記被許可装置であると前記認証ステップが事前に認証したときのみ記憶させ、前記取得ステップが取得した前記第２被許可記憶装置の前記識別情報を前記記憶ステップに記憶させるときに、前記第１被許可記憶装置が前記被許可装置であると前記認証ステップが事前に認証したときのみ記憶させることを特徴とする認証方法。
【請求項１４】
識別情報を記憶した複数の記憶装置が車載装置の利用が許可される被許可装置であることを認証する認証手段と、前記記憶装置が記憶した前記識別情報を取得する取得手段と、情報を記憶する記憶手段と、前記記憶手段による前記情報の記憶を制御する記憶制御手段とを有し、
前記複数の記憶装置は、前記被許可装置にされる被許可記憶装置と、前記被許可記憶装置が前記被許可装置にされるときに使用される被使用記憶装置とを含み、
前記認証手段は、前記取得手段が取得した前記記憶装置の前記識別情報及び前記記憶手段が記憶している前記識別情報に基づいて前記記憶装置が前記被許可装置であることを認証し、前記被許可記憶装置の前記識別情報を前記記憶手段が記憶しているときに前記被使用記憶装置が前記被許可装置であると認証せず、
前記記憶制御手段は、前記取得手段が取得した前記被許可記憶装置の前記識別情報を前記記憶手段に記憶させるときに、前記被使用記憶装置が前記被許可装置であると前記認証手段が事前に認証したときのみ記憶させることを特徴とする認証装置。
【請求項１５】
識別情報を記憶した複数の記憶装置が車載装置の利用が許可される被許可装置であることを認証する認証手段と、前記記憶装置が記憶した前記識別情報を取得する取得手段と、情報を記憶する記憶手段と、前記記憶手段による前記情報の記憶を制御する記憶制御手段とを有し、
前記複数の記憶装置は、前記被許可装置にされる第１被許可記憶装置及び第２被許可記憶装置と、前記第１被許可記憶装置が前記被許可装置にされるときに使用される被使用記憶装置とを含み、
前記認証手段は、前記取得手段が取得した前記記憶装置の前記識別情報及び前記記憶手段が記憶している前記識別情報に基づいて前記記憶装置が前記被許可装置であることを認証し、前記取得手段が取得した前記第１被許可記憶装置の前記識別情報を前記記憶手段が記憶しているときに前記被使用記憶装置が前記被許可装置であると認証せず、
前記記憶制御手段は、前記取得手段が取得した前記第１被許可記憶装置の前記識別情報を前記記憶手段に記憶させるときに、前記被使用記憶装置が前記被許可装置であると前記認証手段が事前に認証したときのみ記憶させ、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させることを特徴とする認証装置。
【手続補正２】
【補正対象書類名】明細書
【補正対象項目名】全文
【補正方法】変更
【補正の内容】
【発明の詳細な説明】
【技術分野】
【０００１】
本発明は、識別情報を記憶した記憶装置が車載装置の利用が許可される被許可装置であることを認証する認証システムに関する。
【背景技術】
【０００２】
従来、予め登録された個人ＩＤが記憶された個人ＩＤカードを所有する者だけに車両のドアの開閉やエンジンの始動を許可する車両管理システムとして、例えば、特許文献１に開示されたものが知られている。
【特許文献１】特開２００２−２７４２９３号公報
【発明の開示】
【発明が解決しようとする課題】
【０００３】
しかしながら、上述した従来の車両管理システムにおいては、個人ＩＤの登録や削除を車両の所有者が与り知らない間に行うことが可能であったので、セキュリティが低いという問題が有った。
【０００４】
本発明は、従来の問題を解決するためになされたもので、セキュリティを向上することができる認証システムを提供することを目的とする。
【課題を解決するための手段】
【０００５】
第１の発明の認証システムは、識別情報を記憶した複数の記憶装置と、前記記憶装置が車載装置の利用が許可される被許可装置であることを認証する認証手段を有した認証装置とを備え、前記複数の記憶装置は、前記被許可装置にされる被許可記憶装置と、前記被許可記憶装置が前記被許可装置にされるときに使用される被使用記憶装置とを含み、前記認証装置は、前記記憶装置が記憶した前記識別情報を取得する取得手段と、情報を記憶する記憶手段と、前記記憶手段による前記情報の記憶を制御する記憶制御手段とを有し、前記認証手段は、前記取得手段が取得した前記記憶装置の前記識別情報及び前記記憶手段が記憶している前記識別情報に基づいて前記記憶装置が前記被許可装置であることを認証し、前記被許可記憶装置の前記識別情報を前記記憶手段が記憶しているときに前記被使用記憶装置が前記被許可装置であると認証せず、前記記憶制御手段は、前記取得手段が取得した前記被許可記憶装置の前記識別情報を前記記憶手段に記憶させるときに、前記被使用記憶装置が前記被許可装置であると前記認証手段が事前に認証したときのみ記憶させる構成を有している。
【０００６】
この構成により、本発明の認証システムは、被許可記憶装置が被許可装置であるときに被使用記憶装置が被許可装置であることがないので、被許可記憶装置の所有者が与り知らない間に他の新たな被許可記憶装置が被使用記憶装置によって被許可装置にされることがなく、セキュリティを向上することができる。
【０００７】
第２の発明の認証システムは、識別情報を記憶した複数の記憶装置と、前記記憶装置が車載装置の利用が許可される被許可装置であることを認証する認証手段を有した認証装置とを備え、前記複数の記憶装置は、前記被許可装置にされる第１被許可記憶装置及び第２被許可記憶装置を含み、前記認証装置は、前記記憶装置が記憶した前記識別情報を取得する取得手段と、情報を記憶する記憶手段と、前記記憶手段による前記情報の記憶を制御する記憶制御手段とを有し、前記認証手段は、前記取得手段が取得した前記記憶装置の前記識別情報及び前記記憶手段が記憶している前記識別情報に基づいて前記記憶装置が前記被許可装置であることを認証し、前記記憶制御手段は、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させる構成を有している。
【０００８】
この構成により、本発明の認証システムは、第１被許可記憶装置が被許可装置であると事前に認証されなければ、第２被許可記憶装置が被許可装置にされることがないので、第１被許可記憶装置の所有者が与り知らない間に第２被許可記憶装置が被許可装置にされることがなく、セキュリティを向上することができる。
【０００９】
第３の発明の認証システムは、識別情報を記憶した複数の記憶装置と、前記記憶装置が車載装置の利用が許可される被許可装置であることを認証する認証手段を有した認証装置とを備え、前記複数の記憶装置は、前記被許可装置にされる第１被許可記憶装置及び第２被許可記憶装置と、前記第１被許可記憶装置が前記被許可装置にされるときに使用される被使用記憶装置とを含み、前記認証装置は、前記記憶装置が記憶した前記識別情報を取得する取得手段と、情報を記憶する記憶手段と、前記記憶手段による前記情報の記憶を制御する記憶制御手段とを有し、前記認証手段は、前記取得手段が取得した前記記憶装置の前記識別情報及び前記記憶手段が記憶している前記識別情報に基づいて前記記憶装置が前記被許可装置であることを認証し、前記取得手段が取得した前記第１被許可記憶装置の前記識別情報を前記記憶手段が記憶しているときに前記被使用記憶装置が前記被許可装置であると認証せず、前記記憶制御手段は、前記取得手段が取得した前記第１被許可記憶装置の前記識別情報を前記記憶手段に記憶させるときに、前記被使用記憶装置が前記被許可装置であると前記認証手段が事前に認証したときのみ記憶させ、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させる構成を有している。
【００１０】
この構成により、本発明の認証システムは、第１被許可記憶装置が被許可装置であるときに被使用記憶装置が被許可装置であることがないので、第１被許可記憶装置の所有者が与り知らない間に他の新たな第１被許可記憶装置が被使用記憶装置によって被許可装置にされることがない。更に、本発明の認証システムは、第１被許可記憶装置が被許可装置であると事前に認証されなければ、第２被許可記憶装置が被許可装置にされることがないので、第１被許可記憶装置の所有者が与り知らない間に第２被許可記憶装置が被許可装置にされることがない。したがって、本発明の認証システムは、セキュリティを向上することができる。
【００１１】
また、本発明の認証システムにおいて、前記第１被許可記憶装置に利用が許可される車載装置には、前記第２被許可記憶装置に利用が許可される車載装置以外の車載装置が含まれた構成を有しても良い。
【００１２】
この構成により、本発明の認証システムは、第１被許可記憶装置には利用が許可されるが第２被許可記憶装置には利用が許可されない車載装置があるので、車両の利用者によってセキュリティレベルを異ならせることができ、利便性を向上することができる。例えば、本発明の認証システムは、エンジンやドアの錠装置などの車載装置を第１被許可記憶装置と同様に第２被許可記憶装置にも利用を許可し、グローブボックスやトランクなどの収納部分の錠装置を第１被許可記憶装置とは異なり第２被許可記憶装置には利用を許可しないことによって、セキュリティを保持しながらホテルや駐車場などの従業員に第２被許可記憶装置によって車を移動させることができる。
【００１３】
また、本発明の認証システムにおいて、前記記憶制御手段は、前記第２被許可記憶装置の前記識別情報を前記記憶手段から削除するときに、前記第１被許可記憶装置が前記被許可装置であると前記認証手段が事前に認証したときのみ削除する構成を有してもよい。
【００１４】
この構成により、本発明の認証システムは、第１被許可記憶装置が被許可装置であると事前に認証されなければ、第２被許可記憶装置が被許可装置ではない装置にされることがないので、第１被許可記憶装置の所有者が与り知らない間に第２被許可記憶装置が被許可装置ではない装置にされることがなく、セキュリティを向上することができる。
【００１５】
また、本発明の認証システムにおいて、前記記憶制御手段は、前記第１被許可記憶装置の前記識別情報を前記記憶手段から削除するときに、前記第２被許可記憶装置の前記識別情報が前記記憶手段に記憶されておらず前記第１被許可記憶装置が前記被許可装置であると前記認証手段が事前に認証したときのみ削除する構成を有しても良い。
【００１６】
この構成により、本発明の認証システムは、第１被許可記憶装置が被許可装置であると事前に認証されなければ、第１被許可記憶装置が被許可装置ではない装置にされることがないので、第１被許可記憶装置の所有者が与り知らない間に第１被許可記憶装置が被許可装置ではない装置にされることがなく、セキュリティを向上することができる。また、本発明の認証システムは、第１被許可記憶装置が被許可装置ではない装置にされるときに、必ず第２被許可記憶装置が被許可装置ではない装置にされているので、第１被許可記憶装置の所有者が与り知らない間に第２被許可記憶装置が残ることがなく、セキュリティを向上することができる。
【００１７】
また、本発明の認証システムにおいて、前記記憶制御手段は、前記第１被許可記憶装置の前記識別情報を前記記憶手段から削除するときに、前記第２被許可記憶装置の前記識別情報が前記記憶手段に記憶されておらず前記第１被許可記憶装置が前記被許可装置であると前記認証手段が事前に認証したときのみ削除し、前記記憶制御手段は、前記第１被許可記憶装置の前記識別情報を前記記憶手段から削除するとき、前記被使用記憶装置が被許可装置となる構成を有しても良い。  この構成により、本発明の認証システムは、第１被許可記憶装置が被許可装置ではない装置にされても、被使用記憶装置が被許可装置になるため、被許可装置が必ず存在することになり、第１被許可記憶装置および第２被許可装置を後に再び被許可装置にすることが可能である。
【００１８】
また、本発明の認証システムにおいて、前記記憶制御手段は、前記被許可記憶装置の前記識別情報を前記記憶手段から削除するときに、前記被許可記憶装置が前記被許可装置であると前記認証手段が事前に認証したときのみ削除する構成を有しても良い。
【００１９】
この構成により、本発明の認証システムは、被許可記憶装置が被許可装置であると事前に認証されなければ、被許可記憶装置が被許可装置ではない装置にされることがないので、被許可記憶装置の所有者が与り知らない間に被許可記憶装置が被許可装置ではない装置にされることがなく、セキュリティを向上することができる。
【００２０】
また、本発明の認証システムにおいて、前記認証装置は、前記識別情報が前記記憶手段に記憶されるときに前記記憶手段に記憶される前記識別情報を外部に送信する送信手段を有した構成を有しても良い。
【００２１】
この構成により、本発明の認証システムは、被許可装置になった記憶装置を車両の外部で容易に認識することができ、利便性が向上する。例えば、本発明の認証システムは、識別情報が記憶手段に記憶されるときに記憶手段に記憶される識別情報を陸運事務所に送信するようにすれば、車両の登録に関する陸運事務所の業務の効率を向上することができる。ここでいう陸運事務所とは、車両の登録に関する情報を管理する機関を意味する。
【００２２】
また、本発明の認証システムにおいて、前記認証装置は、前記識別情報が前記記憶手段から削除されるときに前記記憶手段から削除される前記識別情報を外部に送信する送信手段を有した構成を有しても良い。
【００２３】
この構成により、本発明の認証システムは、被許可装置ではない装置になった記憶装置を車両の外部で容易に認識することができ、利便性が向上する。例えば、本発明の認証システムは、識別情報が記憶手段から削除されるときに記憶手段から削除される識別情報を陸運事務所に送信するようにすれば、陸運事務所の業務の効率を向上することができる。
【００２４】
また、本発明の認証システムにおいて、前記被許可記憶装置は、運転免許証である構成を有しても良い。
【００２５】
この構成により、本発明の認証システムは、被許可記憶装置を運転免許証とは別に車両の利用者に管理させる必要がないので、被許可記憶装置が運転免許証とは別である場合と比較して、利便性を向上することができる。
【００２６】
また、本発明の認証システムにおいて、前記第１被許可記憶装置及び前記第２被許可記憶装置の少なくとも一方は、運転免許証である構成を有しても良い。
【００２７】
この構成により、本発明の認証システムは、第１被許可記憶装置及び第２被許可記憶装置の少なくとも一方を運転免許証とは別に車両の利用者に管理させる必要がないので、第１被許可記憶装置及び第２被許可記憶装置の双方が運転免許証とは別である場合と比較して、利便性を向上することができる。
【００２８】
第４の発明の認証方法は、識別情報を記憶した複数の記憶装置が車載装置の利用が許可される被許可装置であることを認証する認証ステップと、前記記憶装置が記憶した前記識別情報を取得する取得ステップと、情報を記憶する記憶ステップと、前記記憶ステップによる前記情報の記憶を制御する記憶制御ステップとを有し、前記複数の記憶装置は、前記被許可装置にされる被許可記憶装置と、前記被許可記憶装置が前記被許可装置にされるときに使用される被使用記憶装置とを含み、前記認証ステップは、前記取得ステップが取得した前記記憶装置の前記識別情報及び前記記憶ステップが記憶している前記識別情報に基づいて前記記憶装置が前記被許可装置であることを認証し、前記被許可記憶装置の前記識別情報を前記記憶ステップが記憶しているときに前記被使用記憶装置が前記被許可装置であると認証せず、前記記憶制御ステップは、前記取得ステップが取得した前記被許可記憶装置の前記識別情報を前記記憶ステップに記憶させるときに、前記被使用記憶装置が前記被許可装置であると前記認証ステップが事前に認証したときのみ記憶させる構成を有しても良い。
【００２９】
この構成により、本発明の認証方法は、被許可記憶装置が被許可装置であるときに被使用記憶装置が被許可装置であることがないので、被許可記憶装置の所有者が与り知らない間に他の新たな被許可記憶装置が被使用記憶装置によって被許可装置にされることがなく、セキュリティを向上することができる。
【００３０】
第５の発明の認証方法は、識別情報を記憶した複数の記憶装置が車載装置の利用が許可される被許可装置であることを認証する認証ステップと、前記記憶装置が記憶した前記識別情報を取得する取得ステップと、情報を記憶する記憶ステップと、前記記憶ステップによる前記情報の記憶を制御する記憶制御ステップとを有し、前記複数の記憶装置は、前記被許可装置にされる第１被許可記憶装置及び第２被許可記憶装置を含み、前記認証ステップは、前記取得ステップが取得した前記記憶装置の前記識別情報及び前記記憶ステップが記憶している前記識別情報に基づいて前記記憶装置が前記被許可装置であることを認証し、前記記憶制御ステップは、前記取得ステップが取得した前記第２被許可記憶装置の前記識別情報を前記記憶ステップに記憶させるときに、前記第１被許可記憶装置が前記被許可装置であると前記認証ステップが事前に認証したときのみ記憶させる構成を有している。
【００３１】
この構成により、本発明の認証方法は、第１被許可記憶装置が被許可装置であると事前に認証されなければ、第２被許可記憶装置が被許可装置にされることがないので、第１被許可記憶装置の所有者が与り知らない間に第２被許可記憶装置が被許可装置にされることがなく、セキュリティを向上することができる。
【００３２】
第６の発明の認証方法は、識別情報を記憶した複数の記憶装置が車載装置の利用が許可される被許可装置であることを認証する認証ステップと、前記記憶装置が記憶した前記識別情報を取得する取得ステップと、情報を記憶する記憶ステップと、前記記憶ステップによる前記情報の記憶を制御する記憶制御ステップとを有し、前記複数の記憶装置は、前記被許可装置にされる第１被許可記憶装置及び第２被許可記憶装置と、前記第１被許可記憶装置が前記被許可装置にされるときに使用される被使用記憶装置とを含み、前記認証ステップは、前記取得ステップが取得した前記記憶装置の前記識別情報及び前記記憶ステップが記憶している前記識別情報に基づいて前記記憶装置が前記被許可装置であることを認証し、前記取得ステップが取得した前記第１被許可記憶装置の前記識別情報を前記記憶ステップが記憶しているときに前記被使用記憶装置が前記被許可装置であると認証せず、前記記憶制御ステップは、前記取得ステップが取得した前記第１被許可記憶装置の前記識別情報を前記記憶ステップに記憶させるときに、前記被使用記憶装置が前記被許可装置であると前記認証ステップが事前に認証したときのみ記憶させ、前記取得ステップが取得した前記第２被許可記憶装置の前記識別情報を前記記憶ステップに記憶させるときに、前記第１被許可記憶装置が前記被許可装置であると前記認証ステップが事前に認証したときのみ記憶させる構成を有している。
【００３３】
この構成により、本発明の認証方法は、第１被許可記憶装置が被許可装置であるときに被使用記憶装置が被許可装置であることがないので、第１被許可記憶装置の所有者が与り知らない間に他の新たな第１被許可記憶装置が被使用記憶装置によって被許可装置にされることがない。更に、本発明の認証方法は、第１被許可記憶装置が被許可装置であると事前に認証されなければ、第２被許可記憶装置が被許可装置にされることがないので、第１被許可記憶装置の所有者が与り知らない間に第２被許可記憶装置が被許可装置にされることがない。したがって、本発明の認証方法は、セキュリティを向上することができる。
【００３４】
第７の発明の認証装置は、識別情報を記憶した複数の記憶装置が車載装置の利用が許可される被許可装置であることを認証する認証手段と、前記記憶装置が記憶した前記識別情報を取得する取得手段と、情報を記憶する記憶手段と、前記記憶手段による前記情報の記憶を制御する記憶制御手段とを有し、前記複数の記憶装置は、前記被許可装置にされる被許可記憶装置と、前記被許可記憶装置が前記被許可装置にされるときに使用される被使用記憶装置とを含み、前記認証手段は、前記取得手段が取得した前記記憶装置の前記識別情報及び前記記憶手段が記憶している前記識別情報に基づいて前記記憶装置が前記被許可装置であることを認証し、前記被許可記憶装置の前記識別情報を前記記憶手段が記憶しているときに前記被使用記憶装置が前記被許可装置であると認証せず、前記記憶制御手段は、前記取得手段が取得した前記被許可記憶装置の前記識別情報を前記記憶手段に記憶させるときに、前記被使用記憶装置が前記被許可装置であると前記認証手段が事前に認証したときのみ記憶させる構成を有している。
【００３５】
この構成により、本発明の認証装置は、被許可記憶装置が被許可装置であるときに被使用記憶装置が被許可装置であることがないので、被許可記憶装置の所有者が与り知らない間に他の新たな被許可記憶装置が被使用記憶装置によって被許可装置にされることがなく、セキュリティを向上することができる。
【００３６】
第８の発明の認証装置は、識別情報を記憶した複数の記憶装置が車載装置の利用が許可される被許可装置であることを認証する認証手段と、前記記憶装置が記憶した前記識別情報を取得する取得手段と、情報を記憶する記憶手段と、前記記憶手段による前記情報の記憶を制御する記憶制御手段とを有し、前記複数の記憶装置は、前記被許可装置にされる第１被許可記憶装置及び第２被許可記憶装置を含み、前記認証手段は、前記取得手段が取得した前記記憶装置の前記識別情報及び前記記憶手段が記憶している前記識別情報に基づいて前記記憶装置が前記被許可装置であることを認証し、前記記憶制御手段は、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させる構成を有している。
【００３７】
この構成により、本発明の認証装置は、第１被許可記憶装置が被許可装置であると事前に認証されなければ、第２被許可記憶装置が被許可装置にされることがないので、第１被許可記憶装置の所有者が与り知らない間に第２被許可記憶装置が被許可装置にされることがなく、セキュリティを向上することができる。
【００３８】
第９の発明の認証装置は、識別情報を記憶した複数の記憶装置が車載装置の利用が許可される被許可装置であることを認証する認証手段と、前記記憶装置が記憶した前記識別情報を取得する取得手段と、情報を記憶する記憶手段と、前記記憶手段による前記情報の記憶を制御する記憶制御手段とを有し、前記複数の記憶装置は、前記被許可装置にされる第１被許可記憶装置及び第２被許可記憶装置と、前記第１被許可記憶装置が前記被許可装置にされるときに使用される被使用記憶装置とを含み、前記認証手段は、前記取得手段が取得した前記記憶装置の前記識別情報及び前記記憶手段が記憶している前記識別情報に基づいて前記記憶装置が前記被許可装置であることを認証し、前記取得手段が取得した前記第１被許可記憶装置の前記識別情報を前記記憶手段が記憶しているときに前記被使用記憶装置が前記被許可装置であると認証せず、前記記憶制御手段は、前記取得手段が取得した前記第１被許可記憶装置の前記識別情報を前記記憶手段に記憶させるときに、前記被使用記憶装置が前記被許可装置であると前記認証手段が事前に認証したときのみ記憶させ、前記取得手段が取得した前記第２被許可記憶装置の前記識別情報を前記記憶手段に記憶させるときに、前記第１被許可記憶装置が前記被許可装置であると前記認証手段が事前に認証したときのみ記憶させる構成を有している。
【００３９】
この構成により、本発明の認証装置は、第１被許可記憶装置が被許可装置であるときに被使用記憶装置が被許可装置であることがないので、第１被許可記憶装置の所有者が与り知らない間に他の新たな第１被許可記憶装置が被使用記憶装置によって被許可装置にされることがない。更に、本発明の認証装置は、第１被許可記憶装置が被許可装置であると事前に認証されなければ、第２被許可記憶装置が被許可装置にされることがないので、第１被許可記憶装置の所有者が与り知らない間に第２被許可記憶装置が被許可装置にされることがない。したがって、本発明の認証装置は、セキュリティを向上することができる。
【発明の効果】
【００４０】
本発明は、セキュリティを向上することができるという効果を有する認証システムを提供するものである。
【発明を実施するための最良の形態】
【００４１】
以下、本発明の一実施の形態について、図面を用いて説明する。
【００４２】
まず、本実施の形態に係る認証システムの構成について説明する。
【００４３】
図１に示すように、本実施の形態に係る認証システム１０は、外部と通信可能なＩＣ（Ｉｎｔｅｇｒａｔｅｄ  Ｃｉｒｃｕｉｔ）カードであり車両のディーラによって所持されたマスターカード２１と、外部と通信可能であり車両の所有者によって所持されたＩＣカード２２と、外部と通信可能であり車両の所有者に許可された人物によって所持されたＩＣカード２３と、マスターカード２１、ＩＣカード２２及びＩＣカード２３などのＩＣカードがエンジン、ドアの錠装置、グローブボックスの錠装置及びトランクの錠装置などの車載装置の利用が許可される被許可装置であることを認証する認証手段としての認証部３１ａを有した制御部３１を有し車両のインストルメントパネルに搭載された認証装置３０とを備えている。
【００４４】
マスターカード２１、ＩＣカード２２及びＩＣカード２３は、それぞれ固有の識別情報（以下「ＩＤ」という。）を記憶しており、記憶装置を構成している。ここで、マスターカード２１が使用されることによって被許可装置にされたＩＣカードは、ファーストカードといい、ファーストカードが使用されることによって被許可装置にされたＩＣカードは、セカンドカード又はリミットカードという。なお、マスターカード２１は、ファーストカードが登録されるときに使用される被使用記憶装置を構成している。また、ＩＣカード２２及びＩＣカード２３は、ファーストカード、セカンドカード及びリミットカードの何れにもなる可能性があり、被許可記憶装置、第１被許可記憶装置又は第２被許可記憶装置を構成している。
【００４５】
また、マスターカード２１、ファーストカード及びセカンドカードは、エンジン、ドアの錠装置、グローブボックスの錠装置及びトランクの錠装置などの車載装置の利用が許可され、リミットカードは、マスターカード２１、ファーストカード及びセカンドカードに利用が許可される車載装置からグローブボックス及びトランクなどの収納部分の錠装置を除いた車載装置の利用が許可されるようになっている。即ち、マスターカード２１、ファーストカード及びセカンドカードに利用が許可される車載装置には、リミットカードに利用が許可される車載装置以外の車載装置が含まれている。
【００４６】
また、認証装置３０は、制御部３１の動作状態を表示する青色ＬＥＤ（Ｌｉｇｈｔ  Ｅｍｉｔｔｉｎｇ  Ｄｉｏｄｅ）３２ａ及び赤色ＬＥＤ３２ｂと、利用者によって押される第１スイッチ３３ａ及び第２スイッチ３３ｂと、車載装置の利用を許可する利用許可部３４とを有している。なお、第１スイッチ３３ａ及び第２スイッチ３３ｂは、運転席に座っている利用者には操作することができるが車外の人物には操作することができない場所に設置されている。
【００４７】
また、認証装置３０の制御部３１は、図示していないホルダにセットされたマスターカード２１、ＩＣカード２２及びＩＣカード２３などのＩＣカードと通信を行ってＩＣカードが記憶したＩＤを取得する取得手段としての通信部３１ｂと、ＩＣカードのＩＤを記憶する記憶手段としての内部記憶部３１ｃと、内部記憶部３１ｃによる情報の記憶を制御してファーストカード、セカンドカード及びリミットカードのＩＤの登録及び削除を内部記憶部３１ｃに対して行う記憶制御手段としての登録削除部３１ｄと、ファーストカードのＩＤが内部記憶部３１ｃに記憶され又は内部記憶部３１ｃから削除されるときに内部記憶部３１ｃに記憶され又は内部記憶部３１ｃから削除されるファーストカードのＩＤを陸運事務所に送信する送信手段としての情報送信部３１ｅとを有している。
【００４８】
ここで、認証部３１ａは、通信部３１ｂが取得したマスターカード２１、ＩＣカード２２及びＩＣカード２３のＩＤと、内部記憶部３１ｃが記憶しているＩＤとに基づいてマスターカード２１、ＩＣカード２２及びＩＣカード２３が被許可装置であることを認証するようになっている。また、認証部３１ａは、通信部３１ｂが取得したＩＣカードのＩＤをファーストカードのＩＤとして内部記憶部３１ｃが記憶しているときにマスターカード２１が被許可装置であると認証しないようになっている。
【００４９】
また、登録削除部３１ｄは、通信部３１ｂが取得したＩＣカードのＩＤをファーストカードのＩＤとして内部記憶部３１ｃに記憶させるときに、マスターカード２１が被許可装置であると認証部３１ａが事前に認証したときのみ記憶させるようになっている。また、登録削除部３１ｄは、通信部３１ｂが取得したＩＣカードのＩＤをセカンドカード又はリミットカードのＩＤとして内部記憶部３１ｃに記憶させるときに、ファーストカードが被許可装置であると認証部３１ａが事前に認証したときのみ記憶させるようになっている。
【００５０】
また、登録削除部３１ｄは、セカンドカード及びリミットカードのＩＤを内部記憶部３１ｃから削除するときに、ファーストカードが被許可装置であると認証部３１ａが事前に認証したときのみ削除するようになっている。また、登録削除部３１ｄは、ファーストカードのＩＤを内部記憶部３１ｃから削除するときに、セカンドカード及びリミットカードのＩＤが内部記憶部３１ｃに記憶されておらずファーストカードが被許可装置であると認証部３１ａが事前に認証したときのみ削除するようになっている。
【００５１】
次に、認証システム１０の動作について説明する。
【００５２】
まず、ディーラが車両を販売するときなど、ファーストカードが登録されるときの認証システム１０の動作について説明する。
【００５３】
なお、ファーストカードが登録される前、認証装置３０の内部記憶部３１ｃは、マスターカード２１のＩＤのみを記憶している。
【００５４】
図２に示すように、認証装置３０は、ＩＣカードが利用者によってホルダにセットされて（ステップＳ４１）、第１スイッチ３３ａが利用者によって連続して３秒間オン状態にされると（ステップＳ４２）、通信部３１ｂによってＩＣカードに対してＩＤを要求し（ステップＳ４３）、ホルダにセットされたＩＣカードによって送信されたＩＤを通信部３１ｂによって取得する（ステップＳ４４）。例えば、認証装置３０は、ディーラのマスターカード２１がステップＳ４１においてホルダにセットされた場合、ステップＳ４４においてマスターカード２１によってマスターカード２１のＩＤが送信される。
【００５５】
次いで、認証装置３０は、通信部３１ｂがＩＤを取得したか否かを認証部３１ａによって判断し（ステップＳ４５）、通信部３１ｂがＩＤを取得しなかったとステップＳ４５において認証部３１ａが判断すると、制御部３１に赤色ＬＥＤ３２ｂを３秒間点灯させることによってエラーを表示して処理を終了する（ステップＳ４６）。
【００５６】
認証装置３０は、通信部３１ｂがＩＤを取得したとステップＳ４５において認証部３１ａが判断すると、通信部３１ｂが取得したＩＤと内部記憶部３１ｃに記憶されたＩＤとに基づいて、ホルダにセットされたＩＣカードがマスターカード２１であるか否かを認証部３１ａによって判断する（ステップＳ４７）。そして、認証装置３０は、ホルダにセットされたＩＣカードがマスターカード２１ではないとステップＳ４７において認証部３１ａが判断すると、制御部３１に赤色ＬＥＤ３２ｂを１秒間点灯させることによってエラーを表示して処理を終了する（ステップＳ４８）。
【００５７】
認証装置３０は、ホルダにセットされたＩＣカードがマスターカード２１であるとステップＳ４７において認証部３１ａが判断すると、ファーストカードのＩＤが内部記憶部３１ｃに記憶されていないか否かを認証部３１ａによって判断する（ステップＳ４９）。そして、認証装置３０は、ファーストカードのＩＤが内部記憶部３１ｃに記憶されているとステップＳ４９において認証部３１ａが判断すると、制御部３１に赤色ＬＥＤ３２ｂを１秒間点灯させることによってエラーを表示して処理を終了する（ステップＳ５０）。
【００５８】
認証装置３０は、ファーストカードのＩＤが内部記憶部３１ｃに記憶されていないとステップＳ４９において認証部３１ａが判断すると、マスターカード２１が被許可装置であると認証部３１ａによって認証し（ステップＳ５１）、制御部３１に青色ＬＥＤ３２ａを１秒間点灯させる（ステップＳ５２）。
【００５９】
そして、認証装置３０は、ステップＳ５２の処理後、マスターカード２１が利用者によってホルダから外され（ステップＳ５３）、１０秒以内に、ＩＣカードが利用者によってホルダにセットされると（ステップＳ５４）、通信部３１ｂによってＩＣカードに対してＩＤを要求し（ステップＳ５５）、ホルダにセットされたＩＣカードによって送信されたＩＤを通信部３１ｂによって取得する（ステップＳ５６）。
【００６０】
なお、認証装置３０は、ステップＳ５３においてマスターカード２１がホルダから外された後、１０秒以内にＩＣカードがホルダにセットされなければ、制御部３１に赤色ＬＥＤ３２ｂを３秒間点灯させることによってエラーを表示して処理を終了する。
【００６１】
認証装置３０は、ホルダにセットされたＩＣカードによってステップＳ５６においてＩＤが送信されると、通信部３１ｂがＩＤを取得したか否かを認証部３１ａによって判断する（ステップＳ５７）。そして、認証装置３０は、通信部３１ｂがＩＤを取得しなかったとステップＳ５７において認証部３１ａが判断すると、制御部３１に赤色ＬＥＤ３２ｂを３秒間点灯させることによってエラーを表示して処理を終了する（ステップＳ５８）。
【００６２】
認証装置３０は、通信部３１ｂがＩＤを取得したとステップＳ５７において認証部３１ａが判断すると、通信部３１ｂが取得したＩＤが所定のフォーマットのＩＤであるか否かを認証部３１ａによって判断する（ステップＳ５９）。そして、認証装置３０は、通信部３１ｂが取得したＩＤが所定のフォーマットのＩＤではないとステップＳ５９において認証部３１ａが判断すると、制御部３１に赤色ＬＥＤ３２ｂを３秒間点灯させることによってエラーを表示して処理を終了する（ステップＳ６０）。
【００６３】
認証装置３０は、通信部３１ｂが取得したＩＤが所定のフォーマットのＩＤであるとステップＳ５９において認証部３１ａが判断すると、第１スイッチ３３ａ及び第２スイッチ３３ｂが操作されるまで待機する。
【００６４】
そして、認証装置３０は、第１スイッチ３３ａ又は第２スイッチ３３ｂが利用者によって操作されると（ステップＳ６１）、第２スイッチ３３ｂがオン状態にされたまま第１スイッチ３３ａがオン状態にされるという操作が行われたか否かを登録削除部３１ｄによって判断する（ステップＳ６２）。
【００６５】
認証装置３０は、第２スイッチ３３ｂがオン状態にされたまま第１スイッチ３３ａがオン状態にされるという操作が行われなかったとステップＳ６２において登録削除部３１ｄが判断すると、制御部３１に赤色ＬＥＤ３２ｂ及び青色ＬＥＤ３２ａを６秒間１秒毎に交互に点灯させることによってエラーを表示して処理を終了する（ステップＳ６３）。また、認証装置３０は、第２スイッチ３３ｂがオン状態にされたまま第１スイッチ３３ａがオン状態にされるという操作が行われたとステップＳ６２において登録削除部３１ｄが判断すると、通信部３１ｂが取得したＩＤをファーストカードのＩＤとして登録削除部３１ｄによって内部記憶部３１ｃに記憶する（ステップＳ６４）。なお、ＩＣカードのＩＤがファーストカードのＩＤとして内部記憶部３１ｃに記憶されると、認証システム１０には、ファーストカードが存在するようになるので、マスターカード２１が使用不可能になる。
【００６６】
したがって、認証装置３０は、例えば、車両の所有者のＩＣカード２２がステップＳ５４においてホルダにセットされると、ＩＣカード２２をファーストカードとして登録することができる。そして、ＩＣカード２２がファーストカードとして登録後は、例えばステップＳ４９でファーストカードのＩＤが内部記憶部３１ｃに記憶されているか否かを判断しているので、ＩＣカードを重複してファーストカードとして登録することはない。
【００６７】
なお、認証装置３０は、ファーストカードのＩＤが内部記憶部３１ｃに記憶されるときに、内部記憶部３１ｃに記憶されるファーストカードのＩＤを情報送信部３１ｅによって陸運事務所に送信する。したがって、認証システム１０は、車両の登録に関する陸運事務所の業務の効率を向上することができる。
【００６８】
また、上述したように、認証装置３０は、ステップＳ４９及びステップＳ５１において、ステップＳ４４で通信部３１ｂが取得したマスターカード２１のＩＤと、ステップＳ４１より前の記憶ステップで内部記憶部３１ｃが記憶しているマスターカード２１のＩＤとに基づいてマスターカード２１が被許可装置であることを認証部３１ａによって認証し、ファーストカードのＩＤを記憶ステップで内部記憶部３１ｃが記憶しているときにマスターカード２１が被許可装置であると認証部３１ａによって認証しない。したがって、ステップＳ４９及びステップＳ５１は、認証システム１０の認証方法の認証ステップを構成している。
【００６９】
また、認証装置３０は、ステップＳ４４及びステップＳ５６において、ホルダにセットされたＩＣカードによって送信されたＩＤを通信部３１ｂによって取得する。したがって、ステップＳ４４及びステップＳ５６は、認証システム１０の認証方法の取得ステップを構成している。
【００７０】
また、認証装置３０は、ステップＳ５６で通信部３１ｂが取得したＩＣカードのＩＤをステップＳ６４において登録削除部３１ｄによって内部記憶部３１ｃに記憶させるときに、マスターカード２１が被許可装置であると認証部３１ａによってステップＳ５１で必ず事前に認証している。したがって、ステップＳ６４は、認証システム１０の認証方法の記憶ステップ及び記憶制御ステップを構成している。
【００７１】
次に、車両の所有者が家族や従業員などに車載装置の使用を許可するときなど、セカンドカードが登録されるときの認証システム１０の動作について説明する。
【００７２】
ここで、セカンドカードが登録される前、認証装置３０の内部記憶部３１ｃは、ファーストカードのＩＤとしてＩＣカード２２のＩＤを記憶しているものとする。
【００７３】
図３に示すように、認証装置３０は、ＩＣカードが利用者によってホルダにセットされて（ステップＳ７１）、第１スイッチ３３ａが利用者によって連続して３秒間オン状態にされると（ステップＳ７２）、通信部３１ｂによってＩＣカードに対してＩＤを要求し（ステップＳ７３）、ホルダにセットされたＩＣカードによって送信されたＩＤを通信部３１ｂによって取得する（ステップＳ７４）。例えば、認証装置３０は、ファーストカードである車両の所有者のＩＣカード２２がステップＳ７１においてホルダにセットされた場合、ステップＳ７４においてＩＣカード２２によってＩＣカード２２のＩＤが送信される。
【００７４】
次いで、認証装置３０は、通信部３１ｂがＩＤを取得したか否かを認証部３１ａによって判断し（ステップＳ７５）、通信部３１ｂがＩＤを取得しなかったとステップＳ７５において認証部３１ａが判断すると、制御部３１に赤色ＬＥＤ３２ｂを３秒間点灯させることによってエラーを表示して処理を終了する（ステップＳ７６）。
【００７５】
認証装置３０は、通信部３１ｂがＩＤを取得したとステップＳ７５において認証部３１ａが判断すると、通信部３１ｂが取得したＩＤと内部記憶部３１ｃに記憶されたＩＤとに基づいて、ホルダにセットされたＩＣカードがファーストカード、即ちＩＣカード２２であるか否かを認証部３１ａによって判断する（ステップＳ７７）。そして、認証装置３０は、ホルダにセットされたＩＣカードがＩＣカード２２ではないとステップＳ７７において認証部３１ａが判断すると、制御部３１に赤色ＬＥＤ３２ｂを１秒間点灯させることによってエラーを表示して処理を終了する（ステップＳ７８）。
【００７６】
認証装置３０は、ホルダにセットされたＩＣカードがＩＣカード２２であるとステップＳ７７において認証部３１ａが判断すると、ＩＣカード２２が被許可装置であると認証部３１ａによって認証し（ステップＳ８１）、制御部３１に青色ＬＥＤ３２ａを１秒間点灯させる（ステップＳ８２）。
【００７７】
そして、認証装置３０は、ステップＳ８２の処理後、ＩＣカード２２が利用者によってホルダから外され（ステップＳ８３）、１０秒以内に、ＩＣカードが利用者によってホルダにセットされると（ステップＳ８４）、通信部３１ｂによってＩＣカードに対してＩＤを要求し（ステップＳ８５）、ホルダにセットされたＩＣカードによって送信されたＩＤを通信部３１ｂによって取得する（ステップＳ８６）。
【００７８】
なお、認証装置３０は、ステップＳ８３においてＩＣカード２２がホルダから外された後、１０秒以内にＩＣカードがホルダにセットされなければ、制御部３１に赤色ＬＥＤ３２ｂを３秒間点灯させることによってエラーを表示して処理を終了する。
【００７９】
認証装置３０は、ホルダにセットされたＩＣカードによってステップＳ８６においてＩＤが送信されると、通信部３１ｂがＩＤを取得したか否かを認証部３１ａによって判断する（ステップＳ８７）。そして、認証装置３０は、通信部３１ｂがＩＤを取得しなかったとステップＳ８７において認証部３１ａが判断すると、制御部３１に赤色ＬＥＤ３２ｂを３秒間点灯させることによってエラーを表示して処理を終了する（ステップＳ８８）。
【００８０】
認証装置３０は、通信部３１ｂがＩＤを取得したとステップＳ８７において認証部３１ａが判断すると、通信部３１ｂが取得したＩＤが所定のフォーマットのＩＤであるか否かを認証部３１ａによって判断する（ステップＳ８９）。そして、認証装置３０は、通信部３１ｂが取得したＩＤが所定のフォーマットのＩＤではないとステップＳ８９において認証部３１ａが判断すると、制御部３１に赤色ＬＥＤ３２ｂを３秒間点灯させることによってエラーを表示して処理を終了する（ステップＳ９０）。
【００８１】
認証装置３０は、通信部３１ｂが取得したＩＤが所定のフォーマットのＩＤであるとステップＳ８９において認証部３１ａが判断すると、第１スイッチ３３ａ及び第２スイッチ３３ｂが操作されるまで待機する。
【００８２】
そして、認証装置３０は、第１スイッチ３３ａ又は第２スイッチ３３ｂが利用者によって操作されると（ステップＳ９１）、第２スイッチ３３ｂがオン状態にされたまま第１スイッチ３３ａがオン状態にされるという操作が行われたか否かを登録削除部３１ｄによって判断する（ステップＳ９２）。
【００８３】
認証装置３０は、第２スイッチ３３ｂがオン状態にされたまま第１スイッチ３３ａがオン状態にされるという操作が行われなかったとステップＳ９２において登録削除部３１ｄが判断すると、制御部３１に赤色ＬＥＤ３２ｂ及び青色ＬＥＤ３２ａを６秒間１秒毎に交互に点灯させることによってエラーを表示して処理を終了する（ステップＳ９３）。また、認証装置３０は、第２スイッチ３３ｂがオン状態にされたまま第１スイッチ３３ａがオン状態にされるという操作が行われたとステップＳ９２において登録削除部３１ｄが判断すると、通信部３１ｂが取得したＩＤをセカンドカードのＩＤとして登録削除部３１ｄによって内部記憶部３１ｃに記憶する（ステップＳ９４）。
【００８４】
したがって、認証装置３０は、例えば、車両の所有者に許可された人物のＩＣカード２３がステップＳ８４においてホルダにセットされると、ＩＣカード２３をセカンドカードとして登録することができる。また、認証装置３０は、図３に示す手順が利用者によって繰り返されることによって、複数枚のＩＣカードをセカンドカードとして登録することもできる。
【００８５】
また、上述したように、認証装置３０は、ステップＳ８１において、ステップＳ７４で通信部３１ｂが取得したファーストカードであるＩＣカードのＩＤと、ステップＳ６４（図２参照。）で内部記憶部３１ｃが記憶しているファーストカードであるＩＣカードのＩＤとに基づいてＩＣカードがファーストカードとして被許可装置であることを認証部３１ａによって認証する。したがって、ステップＳ８１は、認証システム１０の認証方法の認証ステップを構成している。
【００８６】
また、認証装置３０は、ステップＳ７４及びステップＳ８６において、ホルダにセットされたＩＣカードによって送信されたＩＤを通信部３１ｂによって取得する。したがって、ステップＳ７４及びステップＳ８６は、認証システム１０の認証方法の取得ステップを構成している。
【００８７】
また、認証装置３０は、ステップＳ８６で通信部３１ｂが取得したＩＣカードのＩＤをステップＳ９４において登録削除部３１ｄによって内部記憶部３１ｃに記憶させるときに、ＩＣカードがファーストカードとして被許可装置であると認証部３１ａによってステップＳ８１で必ず事前に認証している。したがって、ステップＳ９４は、認証システム１０の認証方法の記憶ステップ及び記憶制御ステップを構成している。
【００８８】
次に、車両の所有者がホテルや駐車場などの従業員に車の移動を依頼するときなど、リミットカードが登録されるときの認証システム１０の動作について説明する。
【００８９】
認証装置３０は、図３に示す手順と同様な手順が利用者によって行われることによって、ＩＣカードをリミットカードとして登録することができる。また、認証装置３０は、図３に示す手順と同様な手順が利用者によって繰り返されることによって、複数枚のＩＣカードをリミットカードとして登録することもできる。
【００９０】
次に、セカンドカード及びリミットカードの登録が解除されるときの認証システム１０の動作について説明する。
【００９１】
ここで、セカンドカード及びリミットカードの登録が解除される前、認証装置３０の内部記憶部３１ｃは、ファーストカードのＩＤとしてＩＣカード２２のＩＤを記憶しているものとする。
【００９２】
図４に示すように、認証装置３０は、ＩＣカードが利用者によってホルダにセットされて（ステップＳ１０１）、第２スイッチ３３ｂが利用者によって連続して３秒間オン状態にされると（ステップＳ１０２）、通信部３１ｂによってＩＣカードに対してＩＤを要求し（ステップＳ１０３）、ホルダにセットされたＩＣカードによって送信されたＩＤを通信部３１ｂによって取得する（ステップＳ１０４）。例えば、認証装置３０は、ファーストカードである車両の所有者のＩＣカード２２がステップＳ１０１においてホルダにセットされた場合、ステップＳ１０４においてＩＣカード２２によってＩＣカード２２のＩＤが送信される。
【００９３】
次いで、認証装置３０は、通信部３１ｂがＩＤを取得したか否かを認証部３１ａによって判断し（ステップＳ１０５）、通信部３１ｂがＩＤを取得しなかったとステップＳ１０５において認証部３１ａが判断すると、制御部３１に赤色ＬＥＤ３２ｂを３秒間点灯させることによってエラーを表示して処理を終了する（ステップＳ１０６）。
【００９４】
認証装置３０は、通信部３１ｂがＩＤを取得したとステップＳ１０５において認証部３１ａが判断すると、通信部３１ｂが取得したＩＤと内部記憶部３１ｃに記憶されたＩＤとに基づいて、ホルダにセットされたＩＣカードがファーストカード、即ちＩＣカード２２であるか否かを認証部３１ａによって判断する（ステップＳ１０７）。そして、認証装置３０は、ホルダにセットされたＩＣカードがＩＣカード２２ではないとステップＳ１０７において認証部３１ａが判断すると、制御部３１に赤色ＬＥＤ３２ｂを１秒間点灯させることによってエラーを表示して処理を終了する（ステップＳ１０８）。
【００９５】
認証装置３０は、ホルダにセットされたＩＣカードがＩＣカード２２であるとステップＳ１０７において認証部３１ａが判断すると、ＩＣカード２２が被許可装置であると認証部３１ａによって認証し（ステップＳ１１１）、制御部３１に青色ＬＥＤ３２ａを１秒間点灯させ（ステップＳ１１２）、第１スイッチ３３ａ及び第２スイッチ３３ｂが操作されるまで待機する。
【００９６】
そして、認証装置３０は、第１スイッチ３３ａ又は第２スイッチ３３ｂが利用者によって操作されると（ステップＳ１２１）、第１スイッチ３３ａがオン状態にされたまま第２スイッチ３３ｂがオン状態にされるという操作が行われたか否かを登録削除部３１ｄによって判断する（ステップＳ１２２）。
【００９７】
認証装置３０は、第１スイッチ３３ａがオン状態にされたまま第２スイッチ３３ｂがオン状態にされるという操作が行われなかったとステップＳ１２２において登録削除部３１ｄが判断すると、制御部３１に赤色ＬＥＤ３２ｂ及び青色ＬＥＤ３２ａを６秒間１秒毎に交互に点灯させることによってエラーを表示して処理を終了する（ステップＳ１２３）。なお、認証装置３０は、ステップＳ１１２後の待機状態のときにＩＣカード２２が利用者などによって強制的にホルダから外されたときも、制御部３１に赤色ＬＥＤ３２ｂ及び青色ＬＥＤ３２ａを６秒間１秒毎に交互に点灯させることによってエラーを表示して処理を終了する。
【００９８】
また、認証装置３０は、第１スイッチ３３ａがオン状態にされたまま第２スイッチ３３ｂがオン状態にされるという操作が行われたとステップＳ１２２において登録削除部３１ｄが判断すると、内部記憶部３１ｃに記憶されているセカンドカード及びリミットカードのＩＤを登録削除部３１ｄによって内部記憶部３１ｃから全て削除する（ステップＳ１２４）。
【００９９】
したがって、認証システム１０には、セカンドカード及びリミットカードが全く存在しなくなる。
【０１００】
次に、車両の所有者が変更されるときなど、ファーストカードの登録が解除されるときの認証システム１０の動作について説明する。
【０１０１】
ここで、ファーストカードの登録が解除される前、認証装置３０の内部記憶部３１ｃは、ファーストカードとしてＩＣカード２２のＩＤを記憶しているものとする。また、認証システム１０は、セカンドカード及びリミットカードが全く存在しないときのみファーストカードの登録が解除されるので、セカンドカード及びリミットカードが全く存在しない状態であるとする。
【０１０２】
認証装置３０は、セカンドカード及びリミットカードが全く存在しない状態で、図４に示す手順と同様な手順が利用者によって行われると、ファーストカードであるＩＣカード２２の認証を経てＩＣカード２２自身のＩＤを内部記憶部３１ｃから削除する。
【０１０３】
ＩＣカード２２のＩＤが内部記憶部３１ｃから削除されると、認証システム１０には、ファーストカードが存在しなくなるので、マスターカード２１が再び使用可能になる。すなわち、認証装置３０は、内部記憶装置３１ｃからファーストカードとして記憶しているＩＣカード２２のＩＤが削除されると、マスターカード２１のＩＤが内部記憶部３１ｃに再び記憶され、マスターカード２１が被許可装置となる。マスターカード２１のＩＤは登録削除部３１により内部記憶装置３１ｃから削除された後も再び内部記憶装置３１ｃが記憶することができるように、マスターカード２１のＩＤは登録削除部３１により内部記憶装置３１ｃから削除された後も内部記憶装置３１ｃ以外の場所（図示されていない）に記憶されているものとする。認証システム１０は、マスターカード２１が使用可能になると、図２に示す手順が利用者によって行われることによって、ＩＣカード２２以外のＩＣカードを新たなファーストカードとして登録することができる。
【０１０４】
なお、認証装置３０は、ファーストカードのＩＤが内部記憶部３１ｃから削除されるときに、内部記憶部３１ｃから削除されるファーストカードのＩＤを情報送信部３１ｅによって陸運事務所に送信する。したがって、認証システム１０は、車両の登録に関する陸運事務所の業務の効率を向上することができる。
【０１０５】
以上に説明したように、認証システム１０は、ＩＣカードがファーストカードとして被許可装置であるときにマスターカード２１が被許可装置であることがないので、ファーストカードの所有者が与り知らない間に他の新たなファーストカードがマスターカード２１によって被許可装置にされることがない。更に、認証システム１０は、ファーストカードであるＩＣカードが被許可装置であると事前に認証されなければ、他のＩＣカードがセカンドカードやリミットカードとして被許可装置にされることがないので、ファーストカードの所有者が与り知らない間に他のＩＣカードがセカンドカードやリミットカードとして被許可装置にされることがない。したがって、認証システム１０は、セキュリティを向上することができる。
【０１０６】
また、認証システム１０は、ファーストカードには利用が許可されるがリミットカードには利用が許可されない車載装置があるので、車両の利用者によってセキュリティレベルを異ならせることができ、利便性を向上することができる。例えば、認証システム１０は、上述したように、エンジンやドアの錠装置などの車載装置をファーストカードと同様にリミットカードにも利用を許可し、グローブボックスやトランクなどの収納部分の錠装置をファーストカードとは異なりリミットカードには利用を許可しないことによって、セキュリティを保持しながらホテルや駐車場などの従業員にリミットカードによって車を移動させることができる。
【０１０７】
また、認証システム１０は、ファーストカードであるＩＣカードが被許可装置であると事前に認証されなければ、セカンドカードであるＩＣカードやリミットカードであるＩＣカードが被許可装置ではない装置にされることがないので、ファーストカードの所有者が与り知らない間にセカンドカードであるＩＣカードやリミットカードであるＩＣカードが被許可装置ではない装置にされることがなく、セキュリティを向上することができる。
【０１０８】
また、認証システム１０は、ファーストカードであるＩＣカードが被許可装置であると事前に認証されなければ、ファーストカードであるＩＣカードが被許可装置ではない装置にされることがないので、ファーストカードの所有者が与り知らない間にファーストカードであるＩＣカードが被許可装置ではない装置にされることがなく、セキュリティを向上することができる。また、認証システム１０は、ファーストカードであるＩＣカードが被許可装置ではない装置にされるときに、必ずセカンドカードであるＩＣカードやリミットカードであるＩＣカードが被許可装置ではない装置にされているので、ファーストカードの所有者が与り知らない間にセカンドカードやリミットカードが残ることがなく、セキュリティを向上することができる。
【０１０９】
また、認証システム１０は、ＩＣカード２２が運転免許証であっても良い。ＩＣカード２２が運転免許証である場合、認証システム１０は、ＩＣカード２２を運転免許証とは別に車両の利用者に管理させる必要がないので、ＩＣカード２２が運転免許証とは別である場合と比較して、利便性を向上することができる。同様に、認証システム１０は、ＩＣカード２３が運転免許証であっても良い。
【０１１０】
なお、認証システム１０は、ファーストカードやセカンドカードとして登録できるＩＣカード２２及びＩＣカード２３などのＩＣカードを、リミットカードとしても登録できるようになっているが、リミットカードとしてのみ登録可能なリミットカード専用のＩＣカードを、ファーストカードやセカンドカードとして登録できるＩＣカードとは別に備えていても良い。
【０１１１】
以上のように、本発明に係る認証システムは、セキュリティを向上することができるという効果を有し、ＩＣカードを使用したシステムなどとして有用である。
【産業上の利用可能性】
【０１１２】
本発明によれば、セキュリティを向上することができる認証システムを提供することができる。
【図面の簡単な説明】
【０１１３】
【図１】本発明の一実施の形態に係る認証システムのブロック図
【図２】ファーストカードが登録されるときの図１に示す認証システムの動作のシーケンス図
【図３】セカンドカードが登録されるときの図１に示す認証システムの動作のシーケンス図
【図４】セカンドカード及びリミットカードの登録が解除されるときの図１に示す認証システムの動作のシーケンス図である。
【手続補正３】
【補正対象書類名】図面
【補正対象項目名】全図
【補正方法】変更
【補正の内容】
【図１】
2005021904.tif 000007
【図２】
2005021904.tif 000008
【図３】
2005021904.tif 000009
【図４】
2005021904.tif 000010
【国際調査報告】
2005021904.tif 000011
2005021904.tif 000012
2005021904.tif 000013
2005021904.tif 000014